(57)【要約】【課題】入力楽音中における所望の楽音の音像を自在に拡大又は縮小できる楽音信号処理装置を提供すること。【解決手段】本発明の楽音信号処理装置によれば、第２の設定手段によって、第２基準定位と、該方向範囲の一端側の境界の拡大度を規定する第１の関数と、該方向範囲の他端側の境界の拡大度を規定する第２の関数とが設定されると、そのように条件が設定された方向範囲内に存在する抽出信号の定位情報が示す出力方向が、音像拡大縮小手段により移動され、それによって、該方向範囲内の音像が拡大又は縮小される。よって、設定された方向範囲内から抽出された各抽出信号の定位情報が示す出力方向を移動させることにより、設定された方向範囲から抽出された抽出信号によって形成される音像を拡大又は縮小するので、ステレオ音源が示す各音像を自在に拡大又は縮小することができる。【選択図】図８
2011147031.tif 000002
【特許請求の範囲】
【請求項１】
１又は複数チャンネルの信号から構成される楽音信号を入力する入力手段と、
その入力手段に入力された楽音信号を構成する各チャンネルの信号を、それぞれ複数の周波数帯域に分割する分割手段と、
その分割手段により分割された周波数帯域の各々で、前記各チャンネルの信号のレベルを求めるレベル算出手段と、
そのレベル算出手段により求められたレベルに基づいて、予め定められた第１基準定位に対する前記楽音信号の出力方向を示す定位情報を前記周波数帯域の各々に対応付けて算出する定位情報算出手段と、
前記楽音信号の出力方向における少なくとも１つの方向範囲を設定可能な設定手段と、
その設定手段により設定された方向範囲内に、前記定位情報算出手段により算出された定位情報で示される前記楽音信号の出力方向が収まるかを判定する判定手段と、
前記設定手段により設定された方向範囲内に、前記定位情報で示される前記楽音信号の出力方向が収まると前記判定手段により判定された場合に、その収まると判定された定位情報に対応する周波数帯域における前記各チャンネルの信号を、前記楽音信号から抽出信号として抽出する抽出手段と、
その抽出手段により抽出された抽出信号に対し、所定の信号処理の実施と時間領域への変換とを行うことにより、前記各チャンネルに対応して予め設定されている出力チャンネル毎に時間領域の出力信号を生成する出力信号生成手段と、
その出力信号生成手段により得られた時間領域の出力信号を前記出力チャンネル毎に出力する出力手段とを備え、
前記出力信号生成手段は、
前記設定手段により設定された方向範囲に対し、第２基準定位と、該方向範囲の一端側の境界の拡大度を規定する第１の関数と、該方向範囲の他端側の境界の拡大度を規定する第２の関数とを設定する第２の設定手段と、
その第２の設定手段により前記第２基準定位と前記第１の関数と前記第２の関数が設定された方向範囲について、その方向範囲内から前記抽出手段により抽出された抽出信号のうち、前記第２基準定位よりも前記方向範囲の一端側に位置する第１の抽出信号の定位情報が示す出力方向を、前記第２基準定位を基準とする前記第１の関数に応じた線形写像によって移動させると共に、前記第２基準定位よりもその方向範囲の他端側に位置する第２の抽出信号の定位情報が示す出力方向を、前記第２基準定位を基準とする前記第２の関数に応じた線形写像によって移動させることにより、その方向範囲内の音像を拡大又は縮小する音像拡大縮小手段とを含んで構成されることを特徴とする楽音信号処理装置。
【請求項２】
前記設定手段は、前記楽音信号の出力方向における方向範囲を複数設定可能に構成され、
前記判定手段は、前記設定手段により設定された方向範囲内に、前記定位情報算出手段により算出された定位情報で示される前記楽音信号の出力方向が収まるかを、前記設定された方向範囲毎に判定するものであり、
前記抽出手段は、前記設定手段により設定された方向範囲内に、前記定位情報で示される前記楽音信号の出力方向が収まると前記判定手段により判定された場合に、その収まると判定された定位情報に対応する周波数帯域における前記各チャンネルの信号を、その判定に用いられた方向範囲毎に、前記楽音信号から抽出信号として抽出するものであり、
前記出力信号生成手段は、
前記抽出手段により前記方向範囲毎に抽出された抽出信号に対して信号処理を施し、処理後抽出信号として得る信号処理手段と、
その信号処理手段により得られた処理後抽出信号を、前記出力チャンネル毎に、前記方向範囲の全てについて合成する合成手段と、
その合成手段による合成により得られた信号をそれぞれ時間領域の信号に変換して時間領域の出力信号を得る変換手段とを含んで構成され、
前記信号処理手段は、前記第２の設定手段と前記音像拡大縮小手段とを含んで構成され、
前記第２の設定手段は、前記設定手段により設定された方向範囲毎に、前記第２基準定位と、前記第１の関数と、前記第２の関数とを設定できることを特徴とする請求項１記載の楽音信号処理装置。
【請求項３】
前記設定手段は、前記楽音信号の出力方向における方向範囲を複数設定可能に構成され、
前記判定手段は、前記設定手段により設定された方向範囲内に、前記定位情報算出手段により算出された定位情報で示される前記楽音信号の出力方向が収まるかを、前記設定された方向範囲毎に判定するものであり、
前記抽出手段は、前記設定手段により設定された方向範囲内に、前記定位情報で示される前記楽音信号の出力方向が収まると前記判定手段により判定された場合に、その収まると判定された定位情報に対応する周波数帯域における前記各チャンネルの信号を、その判定に用いられた方向範囲毎に、前記楽音信号から抽出信号として抽出するものであり、
前記出力信号生成手段は、
前記抽出手段により前記方向範囲毎に抽出された抽出信号に対して信号処理を施し、処理後抽出信号として得る信号処理手段と、
その信号処理手段により得られた処理後抽出信号を時間領域の抽出信号に変換する変換手段と、
その変換手段により変換された前記時間領域の抽出信号を、前記各チャンネルに対応して予め設定されている出力チャンネル毎に、前記方向範囲の全てについて合成する合成手段とを含んで構成され、
前記信号処理手段は、前記第２の設定手段と前記音像拡大縮小手段とを含んで構成され、
前記第２の設定手段は、前記設定手段により設定された方向範囲毎に、前記第２基準定位と、前記第１の関数と、前記第２の関数とを設定できることを特徴とする請求項１記載の楽音信号処理装置。
【請求項４】
前記設定手段は、前記楽音信号の出力方向における方向範囲を複数設定可能に構成され、
前記判定手段は、前記設定手段により設定された方向範囲内に、前記定位情報算出手段により算出された定位情報で示される前記楽音信号の出力方向が収まるかを、前記設定された方向範囲毎に判定するものであり、
前記抽出手段は、前記設定手段により設定された方向範囲内に、前記定位情報で示される前記楽音信号の出力方向が収まると前記判定手段により判定された場合に、その収まると判定された定位情報に対応する周波数帯域における前記各チャンネルの信号を、その判定に用いられた方向範囲毎に、前記楽音信号から抽出信号として抽出するものであり、
前記出力信号生成手段は、
前記抽出手段により前記方向範囲毎に抽出された抽出信号を時間領域の抽出信号に変換する変換手段と、
その変換手段により変換された前記時間領域の抽出信号に対して信号処理を施し、時間領域の処理後抽出信号として得る信号処理手段と、
その信号処理手段により信号処理が施された前記時間領域の処理後抽出信号を、前記各チャンネルに対応して予め設定されている出力チャンネル毎に、前記方向範囲の全てについて合成する合成手段とを含んで構成され、
前記信号処理手段は、前記第２の設定手段と前記音像拡大縮小手段とを含んで構成され、
前記第２の設定手段は、前記設定手段により設定された方向範囲毎に、前記第２基準定位と、前記第１の関数と、前記第２の関数とを設定できることを特徴とする請求項１記載の楽音信号処理装置。
【請求項５】
前記音像拡大縮小手段は、処理対象とする前記抽出信号がモノラル信号である場合に、該抽出信号の定位情報が示す出力方向を、該抽出信号を含む前記方向範囲の一端又は他端の出力方向に、予め設定された連続する周波数範囲毎に交互となるように自動的に振り分ける準備手段を含み、その準備手段により振り分けられた抽出信号に対し、該抽出信号を含む前記方向範囲に対して設定された前記第２基準定位と前記第１の関数と前記第２の関数とを用いる前記線形写像を行うものであることを特徴とする請求項１記載の楽音信号処理装置。
【請求項６】
前記信号処理手段は、処理対象となる前記各チャンネルの信号を前記出力チャンネルに応じて分配して、その分配された各信号に対して、それぞれ独立した信号処理を施すものであり、
前記出力手段は、前記独立した信号処理に対応して複数設けられ、
前記信号処理手段は前記第２の設定手段及び前記音像拡大縮小手段を含み、
前記第２の設定手段は、前記第２基準定位、前記第１の関数、及び前記第２の関数を前記出力チャンネルに応じて分配される信号毎に設定できるものであり、
前記音像拡大縮小手段は、前記出力チャンネルに応じて分配される信号毎に設定された前記第２基準定位と前記第１の関数及び前記第２の関数とを用い、前記線形写像を、前記分配された信号毎に独立して行うものであることを特徴とする請求項２から５のいずれかに記載の楽音信号処理装置。
【請求項７】
モノラルの楽音信号を入力する入力手段と、
その入力手段に入力されたモノラルの楽音信号を、複数の周波数帯域に分割する分割手段と、
その分割手段により分割された周波数帯域の各々で、前記モノラル信号のレベルを求めるレベル算出手段と、
予め定められた第１基準定位に等しい前記モノラルの楽音信号の出力方向を含む方向範囲と前記分割手段により分割された周波数帯域の帯域範囲との組を少なくとも１組設定可能な設定手段と、
その設定手段により設定された各組の帯域範囲について、各帯域範囲内に収まる周波数帯域のモノラル信号を抽出する抽出手段と、
その抽出手段により抽出された抽出信号に対し、所定の信号処理の実施と時間領域への変換とを行うことにより、前記各チャンネルに対応して予め設定されている出力チャンネル毎に時間領域の出力信号を生成する出力信号生成手段と、
その出力信号生成手段により得られた時間領域の出力信号を前記出力チャンネル毎に出力する出力手段とを備え、
前記出力信号生成手段は、
前記設定手段により設定された各組の方向範囲について、各方向範囲に対し、第２基準定位と、該方向範囲の一端側の境界の拡大度を規定する第１の関数と、該方向範囲の他端側の境界の拡大度を規定する第２の関数とを設定する第２の設定手段と、
前記抽出信号の出力方向を、該抽出信号に対応する前記方向範囲の一端又は他端の出力方向に、予め設定された連続する周波数範囲毎に交互となるように自動的に振り分ける準備手段と、
前記第２の設定手段により前記第２基準定位と前記第１の関数と前記第２の関数が設定された方向範囲について、その方向範囲内から前記抽出手段により抽出されて前記準備手段により振り分けられた抽出信号のうち、前記第２基準定位よりも前記方向範囲の一端側に位置する第１の抽出信号の定位情報が示す出力方向を、前記第２基準定位を基準とする前記第１の関数に応じた線形写像によって移動させると共に、前記第２基準定位よりもその方向範囲の他端側に位置する第２の抽出信号の定位情報が示す出力方向を、前記第２基準定位を基準とする前記第２の関数に応じた線形写像によって移動させることにより、その方向範囲内の音像を拡大又は縮小する音像拡大縮小手段とを含んで構成されることを特徴とする楽音信号処理装置。
【発明の詳細な説明】
【技術分野】
【０００１】
本発明は楽音信号処理装置に関し、特に、入力楽音中における所望の楽音の音像を自在に拡大又は縮小できる楽音信号処理装置に関する。
【背景技術】
【０００２】
特許文献１（特表２０００−５０４５２６号公報）には、モノラル信号を周波数帯域によって左右に振り分け、それにより、モノラル音源であっても、擬似ステレオサウンドとして若干の拡がりを持たせて出力することのできる装置が記載されている。
【０００３】
特許文献２（特開平０８−１２３４１０号公報）には、左右チャンネルから構成される各音源の音に拡がり感を持たせることのできる音響効果付加装置が開示されている。かかる音響効果付加装置では、具体的に、左右チャンネルの各チャンネル毎に時分割で与えられた各周波数帯域の音色データを、各周波数帯域毎に定位を調整して位相の反転などにより音の定位感をぼかすことによって、音に拡がり感を持たせている。
【先行技術文献】
【特許文献】
【０００４】
【特許文献１】特表２０００−５０４５２６号公報
【特許文献２】特開平０８−１２３４１０号公報
【発明の概要】
【発明が解決しようとする課題】
【０００５】
しかしながら、特許文献１及び特許文献２などの従来の手法では、入力音源の音像を所望に応じて自在に拡大することは困難であるという問題点があった。
【０００６】
本発明は、上述した問題点を解決するためになされたものであり、入力楽音中における所望の楽音の音像を自在に拡大又は縮小できる楽音信号処理装置を提供することを目的としている。
【課題を解決するための手段および発明の効果】
【０００７】
この目的を達成するために請求項１記載の楽音信号処理装置によれば、第２の設定手段によって、第２基準定位と、該方向範囲の一端側の境界の拡大度を規定する第１の関数と、該方向範囲の他端側の境界の拡大度を規定する第２の関数とが設定されると、そのように条件が設定された方向範囲内に存在する抽出信号の定位情報が示す出力方向が、音像拡大縮小手段により移動され、それによって、該方向範囲内の音像が拡大又は縮小される。具体的には、第２基準定位と第１の関数と第２の関数とが設定された方向範囲について、その方向範囲内から抽出手段により抽出された抽出信号のうち、第２基準定位よりも該方向範囲の一端側に位置する第１の抽出信号の定位情報が示す出力方向が、音像拡大縮小手段により、該第２基準定位を基準とする第１の関数に応じた線形写像によって移動されると共に、第２基準定位よりも該方向範囲の他端側に位置する第２の抽出信号の定位情報が示す出力方向が、同じく音像拡大縮小手段により、該第２基準定位を基準とする第２の関数に応じた線形写像によって移動される。なお、請求項１における第２の設定手段による各条件（第２基準定位、第１の関数、第２の関数）の設定は、予め固定的に設定されている場合と、可変的に設定される場合との両方の場合を含むことを意図する。また、請求項１における「拡大度」とは、その度合いによっては、拡大のみならず、縮小の意を含んでいる。
【０００８】
よって、設定された方向範囲内から抽出された各抽出信号の定位情報が示す出力方向を移動させる、即ち、各抽出信号の定位を移動させることにより、設定された方向範囲から抽出された抽出信号によって形成される音像を拡大又は縮小するので、ステレオ音源が示す各音像を自在に拡大又は縮小できるという効果がある。
【０００９】
請求項２，３，４記載の楽音信号処理装置によれば、請求項１記載の楽音信号処理装置の奏する効果に加えて、次の効果を奏する。抽出手段は、設定手段に設定された出力方向における方向範囲内に、定位情報で示される出力方向が収まると判定手段により判定された場合に、その収まると判定された定位情報に対応する周波数帯域における各チャンネルの信号を、その判定に用いられた方向範囲毎に、楽音信号から抽出信号として抽出する。このように、抽出手段は、各チャンネルの信号から、設定された方向範囲毎に、即ち、所望の定位毎に、抽出信号を抽出することができる。ここで、第２の設定手段は、設定手段により設定された方向範囲毎に、第２基準定位と第１の関数と第２の関数とを設定できるので、設定手段により設定された方向範囲毎に独立して音像を拡大又は縮小することができるという効果がある。また、抽出手段は、各チャンネルの信号から、設定された方向範囲毎に信号の抽出を行うので、抽出された信号（抽出信号）に対して信号処理を行った後に、それらの信号（信号処理が施された抽出信号）を再合成することができるという効果がある。
【００１０】
請求項５記載の楽音信号処理装置によれば、請求項１記載の楽音信号処理装置の奏する効果に加えて、次の効果を奏する。処理対象とする前記抽出信号がモノラル信号である場合には、該抽出信号の定位情報が示す出力方向が、該抽出信号を含む方向範囲の一端又は他端の出力方向に、予め設定された連続する周波数範囲毎に交互となるように、準備手段によって自動的に振り分けられる。そして、その準備手段により振り分けられた抽出信号に対し、該抽出信号を含む方向範囲に対して設定された第２基準定位と第１の関数と第２の関数とを用いる線形写像が音像拡大縮小手段によって行われる。なお、請求項５において、「処理対象とする前記抽出信号がモノラル信号である場合」とは、入力楽音信号がモノラル信号（１チャンネルの信号）である場合と、入力楽音信号が複数チャンネルの信号であるが合成されてモノラル信号とされている場合との両方を含むことを意図している。
【００１１】
よって、処理対象となる抽出信号がモノラル信号であっても、各抽出信号の出力方向（定位）を、準備手段によって、予め、方向範囲のいずれかの境界に自動的に振り分けるので、第２基準定位と第１の関数と第２の関数とを用いる線形写像によって定位を移動させることができるようになり、その結果、音像に拡がりを持たせることができるという効果がある。その上、準備手段による定位の振り分けは、所定の周波数毎のグループ単位で交互となるように振り分けられるので、バランスのよい拡がり感を持たせることができるという効果がある。
【００１２】
請求項６記載の楽音信号処理装置によれば、請求項２から５のいずれかに記載の楽音信号処理装置の奏する効果に加えて、次の効果を奏する。信号処理手段は、処理対象となる各チャンネルの信号を出力チャンネルに応じて分配して、その分配された各信号に対して、それぞれ独立した信号処理を施す。そして、出力手段は、上記の独立した信号処理に対応して複数設けられているので、所望の定位毎に抽出信号を抽出した後、所望の定位（即ち、１の定位）における抽出信号が分配され、分配後の各信号に対してそれぞれ独立した信号処理を施した後、それらを別々の出力手段から出力することができる。このとき、信号処理手段の一部である第２の設定手段は、第２基準定位、第１の関数、及び第２の関数を出力チャンネルに応じて分配される信号毎に設定でき、音像拡大縮小処理は、出力チャンネルに応じて分配される信号毎に設定された第２基準定位と第１の関数及び第２の関数とを用いて、分配された信号毎に線形写像を独立して行うものであるので、出力手段の配置に応じて適切に音像を拡大したり縮小したりすることができるという効果がある。
【００１３】
請求項７記載の楽音装置によれば、モノラル信号が入力された場合には、抽出信号の出力方向（予め定められた第１基準定位に等しい出力方向）が、該抽出信号に対応する方向範囲の一端又は他端の出力方向に、予め設定された連続する周波数範囲毎に交互となるように、準備手段によって自動的に振り分けられる。そして、その準備手段により振り分けられた抽出信号に対し、該抽出信号に対応する方向範囲に対して第２設定手段により設定された第２基準定位と第１の関数と第２の関数とを用いる線形写像が音像拡大縮小手段によって行われ、それによって、該方向範囲内の音像が拡大又は縮小される。
【００１４】
よって、入力信号モノラル信号であっても、各抽出信号の出力方向（定位）を、準備手段によって、予め、方向範囲のいずれかの境界に自動的に振り分けるので、第２基準定位と第１の関数と第２の関数とを用いる線形写像によって定位を移動させることができるようになり、その結果、音像に拡がりを持たせることができるという効果がある。その上、準備手段による定位の振り分けは、所定の周波数毎のグループ単位で交互となるように振り分けられるので、バランスのよい拡がり感を持たせることができるという効果がある。
【図面の簡単な説明】
【００１５】
【図１】本発明の一実施形態であるエフェクタ（楽音信号処理装置の一例）を示したブロック図である。
【図２】ＤＳＰで実行される処理を、機能ブロックを用いて模式的に示した図である。
【図３】各部Ｓ１０、Ｓ２０、Ｓ６０〜Ｓ９０で実行される処理を示した図である。
【図４】メイン処理部Ｓ３０で実行される処理を示した図である。
【図５】第１取り出し処理Ｓ１００、第１信号処理Ｓ１１０、第２取り出し処理Ｓ２００および第２信号処理Ｓ２１０で行われる処理の詳細を示した図である。
【図６】指定以外を取り出す処理Ｓ３００および指定外信号処理Ｓ３１０で行われる処理の詳細を示した図である。
【図７】（ａ），（ｂ）は、定位ｗ［ｆ］と目標とする定位とによって決定される各係数を説明するためのグラフである。
【図８】第２実施形態における音像拡大縮小処理により音像が拡大又は縮小される様子を示した模式図である。
【図９】第２実施形態の第１信号処理Ｓ１１０および第２信号処理Ｓ２１０で行われる処理の詳細を示した図である。
【図１０】第３実施形態における音像拡大縮小処理の概要を説明するための模式図である。
【図１１】第３実施形態のエフェクタで実行される主要な処理を示した図である。
【発明を実施するための形態】
【００１６】
以下、本発明の好ましい実施例について、添付図面を参照して説明する。まず、図１から図７を参照して本発明の第１実施形態について説明する。図１は、本発明における第１実施形態のエフェクタ１（楽音信号処理装置の一例）を示したブロック図である。このエフェクタ１は、信号処理を施す対象となる楽音信号（以後、「抽出信号」と称す）の抽出を、複数の各条件（周波数、定位および最大レベルが一組となった条件の各々）にわたって行うことができるものである。
【００１７】
エフェクタ１は、Ｌｃｈ用アナログデジタルコンバータ（以下、「Ａ／Ｄコンバータ」と称す）１１Ｌと、Ｒｃｈ用Ａ／Ｄコンバータ１１Ｒと、デジタルシグナルプロセッサ（以下、「ＤＳＰ」と称す）１２と、Ｌｃｈ用第１デジタルアナログコンバータ（以下、「Ｄ／Ａコンバータ」と称す）１３Ｌ１と、Ｒｃｈ用第１Ｄ／Ａコンバータ１３Ｒ１と、Ｌｃｈ用第２Ｄ／Ａコンバータ１３Ｌ２と、Ｒｃｈ用第２Ｄ／Ａコンバータ１３Ｒ２と、ＣＰＵ１４と、ＲＯＭ１５と、ＲＡＭ１６と、バスライン１７とを有している。各部１１〜１６は、バスライン１７を介して互いに電気的に接続されている。
【００１８】
Ｌｃｈ用Ａ／Ｄコンバータ１１Ｌは、ＩＮ＿Ｌ端子から入力された左チャンネル信号（楽音信号の一部）を、アナログ信号からデジタル信号へ変換して、デジタル化された左チャンネル信号を、バスライン１７を介してＤＳＰ１２へと出力するコンバータである。また、Ｒｃｈ用Ａ／Ｄコンバータ１１Ｒは、ＩＮ＿Ｒ端子から入力された右チャンネル信号（楽音信号の一部）を、アナログ信号からデジタル信号へ変換して、デジタル化された右チャンネル信号を、バスライン１７を介してＤＳＰ１２へと出力するコンバータである。
【００１９】
ＤＳＰ１２は、Ｌｃｈ用Ａ／Ｄコンバータ１１Ｌから出力された左チャンネル信号およびＲｃｈ用Ａ／Ｄコンバータ１１Ｒから出力された右チャンネル信号を入力すると、その入力した左チャンネル信号および右チャンネル信号へ信号処理を施して、その信号処理を施した左チャンネル信号および右チャンネル信号を、Ｌｃｈ用第１Ｄ／Ａコンバータ１３Ｌ１、Ｒｃｈ用第１Ｄ／Ａコンバータ１３Ｒ１、Ｌｃｈ用第２Ｄ／Ａコンバータ１３Ｌ２およびＲｃｈ用第２Ｄ／Ａコンバータ１３Ｒ２へ出力するプロセッサである。
【００２０】
Ｌｃｈ用第１Ｄ／Ａコンバータ１３Ｌ１及びＬｃｈ用第２Ｄ／Ａコンバータ１３Ｌ２は、ＤＳＰ１２で信号処理が施された左チャンネル信号を、デジタル信号からアナログ信号へ変換して、そのアナログ信号を、メインスピーカのＬチャンネル側（図示せず）が接続される端子（ＯＵＴ１＿Ｌ端子，ＯＵＴ２＿Ｌ端子）へ出力するコンバータである。なお、Ｌｃｈ用第１Ｄ／Ａコンバータ１３Ｌ１及びＬｃｈ用第２Ｄ／Ａコンバータ１３Ｌ２には、それぞれ、ＤＳＰ１２で各々独立した信号処理がなされて出力された左チャンネル信号が入力される。
【００２１】
Ｒｃｈ用第１Ｄ／Ａコンバータ１３Ｒ１及びＲｃｈ用第２Ｄ／Ａコンバータ１３Ｒ２は、ＤＳＰ１２で信号処理が施された右チャンネル信号を、デジタル信号からアナログ信号へ変換して、そのアナログ信号を、メインスピーカのＲチャンネル側（図示せず）が接続される端子（ＯＵＴ１＿Ｒ端子，ＯＵＴ２＿Ｒ端子）へ出力するコンバータである。なお、Ｒｃｈ用第１Ｄ／Ａコンバータ１３Ｒ１及びＲｃｈ用第２Ｄ／Ａコンバータ１３Ｒ２には、それぞれ、ＤＳＰ１２で各々独立した信号処理がなされて出力された右チャンネル信号が入力される。
【００２２】
ＣＰＵ１４は、各部１１Ｌ〜１３Ｒ２，１５，１６を制御する中央制御装置である。ＲＯＭ１５は、エフェクタ１で実行される制御プログラム等を格納した書換不能なメモリである。図２〜図６で後述するＤＳＰ１２による処理は、制御プログラムとして、ＲＯＭ１５に記憶されている。ＲＡＭ１６は、各種のデータを一時的に記憶するためのメモリである。
【００２３】
次に、図２を参照して、ＤＳＰ１２の処理について説明する。図２は、ＤＳＰ１２で実行される処理を、機能ブロックを用いて模式的に示した図である。ＤＳＰ１２は、機能ブロックとして、第１処理部Ｓ１と第２処理部Ｓ２とを有している。ＤＳＰ１２は、エフェクタ１の電源オン中、図２に示す処理を繰り返し実行する。
【００２４】
ＤＳＰ１２は、ＩＮ＿Ｌ端子から入力された時間領域における左チャンネル信号（以下、「ＩＮ＿Ｌ［ｔ］信号」と称す。［ｔ］は、信号が時間領域で示されることを表わしている）と、ＩＮ＿Ｒ端子から入力された時間領域における右チャンネル信号（以下、「ＩＮ＿Ｒ［ｔ］信号」と称す）とを入力し、第１処理部Ｓ１および第２処理部Ｓ２における処理を実行する。
【００２５】
ここで、第１処理部Ｓ１と第２処理部Ｓ２とにおける処理は、同一の処理であり、かつ、所定間隔毎に実行されるのであるが、第２処理部Ｓ２における処理は、第１処理部Ｓ１における処理の実行開始から所定時間遅れて実行開始される。これにより、第２処理部Ｓ２における処理は、第１処理部Ｓ１における処理の実行終了から実行開始までのつなぎ目を補い、第１処理部Ｓ１における処理は、第２処理部Ｓ２における処理の実行終了から実行開始までのつなぎ目を補っている。よって、第１処理部Ｓ１により生成された信号と第２処理部Ｓ２により生成された信号とが合成された信号、即ち、ＤＳＰ１２から出力される、時間領域における第１左チャンネル信号（以下、「ＯＵＴ１＿Ｌ［ｔ］信号」と称す）と、時間領域における第１右チャンネル信号（以下、「ＯＵＴ１＿Ｒ［ｔ］信号」と称す）と、時間領域における第２左チャンネル信号（以下、「ＯＵＴ２＿Ｌ［ｔ］信号」と称す）と、時間領域における第２右チャンネル信号（以下、「ＯＵＴ２＿Ｒ［ｔ］信号」と称す）とが、不連続となることを防止している。なお、本実施形態では、第１処理部Ｓ１及び第２処理部Ｓ２は、０．１秒毎に実行され、第２処理部Ｓ２における処理が、第１処理部Ｓ１における処理の実行開始から０．０５秒後に実行開始されるものとする。しかし、第１処理部Ｓ１及び第２処理部Ｓ２の実行間隔、並びに、第１処理部Ｓ１における処理の実行開始から第２処理部Ｓ２における処理の実行開始までの遅延時間は、０．１秒及び０．０５秒に限定されず、サンプリング周波数と楽音信号の数とに応じた値を適宜利用可能である。
【００２６】
第１処理部Ｓ１および第２処理部Ｓ２は、機能ブロックとして、Ｌｃｈ解析処理部Ｓ１０、Ｒｃｈ解析処理部Ｓ２０、メイン処理部Ｓ３０、Ｌ１ｃｈ出力処理部Ｓ６０、Ｒ１ｃｈ出力処理部Ｓ７０、Ｌ２ｃｈ出力処理部Ｓ８０およびＲ２ｃｈ出力処理部Ｓ９０をそれぞれ有している。
【００２７】
Ｌｃｈ解析処理部Ｓ１０は、入力したＩＮ＿Ｌ［ｔ］信号を、周波数領域で示される左チャンネル信号（以下、「ＩＮ＿Ｌ［ｆ］信号」と称す。［ｆ］は、信号が周波数領域で示されることを表わしている）に変換して出力するものであり、Ｒｃｈ解析処理部Ｓ２０は、入力したＩＮ＿Ｒ［ｔ］信号を、周波数領域で示される右チャンネル信号（以下、「ＩＮ＿Ｒ［ｆ］信号」と称す）に変換して出力するものである。なお、Ｌｃｈ解析処理部Ｓ１０およびＲｃｈ解析処理部Ｓ２０の詳細は、図３を参照して後述する。
【００２８】
メイン処理部Ｓ３０は、Ｌｃｈ解析処理部Ｓ１０から入力されたＩＮ＿Ｌ［ｆ］信号とＲｃｈ解析処理部Ｓ２０から入力されたＩＮ＿Ｒ［ｆ］信号に対し、後述する第１信号処理、第２信号処理、及び、指定以外を取り出す処理を施し、各処理からの出力結果に基づき、周波数領域で示される左チャンネル信号及び右チャンネル信号を出力するものである。なお、メイン処理部Ｓ３０の処理の詳細は、図４〜６を参照して後述する。
【００２９】
Ｌ１ｃｈ出力処理部Ｓ６０は、メイン処理部Ｓ３０から出力された周波数領域で示される左チャンネル信号の１つ（以下、「ＯＵＴ＿Ｌ１［ｆ］信号と称す）が入力された場合に、そのＯＵＴ＿Ｌ１［ｆ］信号を、時間領域で示される左チャンネル信号（以下、「ＯＵＴ１＿Ｌ［ｔ］信号」と称す）へ変換するものである。Ｒ１ｃｈ出力処理部Ｓ７０は、メイン処理部Ｓ３０から出力された周波数領域で示される右チャンネル信号の１つ（以下、「ＯＵＴ＿Ｒ１［ｆ］信号と称す）が入力された場合に、そのＯＵＴ＿Ｒ１［ｆ］信号を、時間領域で示される右チャンネル信号（以下、「ＯＵＴ１＿Ｒ［ｔ］信号」と称す）へ変換するものである。
【００３０】
Ｌ２ｃｈ出力処理部Ｓ８０は、メイン処理部Ｓ３０から出力されたもう１つの周波数領域で示される左チャンネル信号（以下、「ＯＵＴ＿Ｌ２［ｆ］信号と称す）が入力された場合に、そのＯＵＴ＿Ｌ２［ｆ］信号を、時間領域で示される左チャンネル信号（以下、「ＯＵＴ２＿Ｌ［ｔ］信号」と称す）へ変換するものである。Ｒ２ｃｈ出力処理部Ｓ９０は、メイン処理部Ｓ３０から出力されたもう１つの周波数領域で示される右チャンネル信号（以下、「ＯＵＴ＿Ｒ２［ｆ］信号と称す）が入力された場合に、そのＯＵＴ＿Ｒ２［ｆ］信号を、時間領域で示される右チャンネル信号（以下、「ＯＵＴ２＿Ｒ［ｔ］信号」と称す）へ変換するものである。Ｌ１ｃｈ出力処理部Ｓ６０、Ｒ１ｃｈ出力処理部Ｓ７０、Ｌ２ｃｈ出力処理部Ｓ８０およびＲ２ｃｈ出力処理部Ｓ９０の処理の詳細は、図３を参照して後述する。
【００３１】
なお、第１処理部Ｓ１の各出力処理部Ｓ６０〜Ｓ９０から出力されるＯＵＴ＿Ｌ１［ｆ］信号、ＯＵＴ＿Ｒ１［ｆ］信号、ＯＵＴ＿Ｌ２［ｆ］信号およびＯＵＴ＿Ｒ２［ｆ］信号と、第２処理部Ｓ２の各出力処理部Ｓ６０〜Ｓ９０から出力されるＯＵＴ＿Ｌ１［ｆ］信号、ＯＵＴ＿Ｒ１［ｆ］信号、ＯＵＴ＿Ｌ２［ｆ］信号、およびＯＵＴ＿Ｒ２［ｆ］信号とは、それぞれ、クロスフェードで合成される。
【００３２】
次に、図３を参照して、メイン処理部３０を除く、Ｌｃｈ解析処理部Ｓ１０、Ｒｃｈ解析処理部Ｓ２０、Ｌ１ｃｈ出力処理部Ｓ６０、Ｒ１ｃｈ出力処理部Ｓ７０、Ｌ２ｃｈ出力処理部Ｓ８０およびＲ２ｃｈ出力処理部Ｓ９０で実行される処理の詳細について説明する。図３は、各部Ｓ１０、Ｓ２０およびＳ６０〜Ｓ９０で実行される処理を示した図である。
【００３３】
まず、Ｌｃｈ解析処理部Ｓ１０およびＲｃｈ解析処理部Ｓ２０について説明する。Ｌｃｈ解析処理部Ｓ１０では、まず、ＩＮ＿Ｌ［ｔ］信号に対して、ハニング窓をかける処理である窓関数処理を実行する（Ｓ１１）。その後、ＩＮ＿Ｌ［ｔ］信号に対して、高速フーリエ変換（ＦＦＴ）を行う（Ｓ１２）。この高速フーリエ変換により、ＩＮ＿Ｌ［ｔ］信号は、ＩＮ＿Ｌ［ｆ］信号へ変換される（フーリエ変換された各周波数ｆを横軸とするスペクトル信号となる）。なお、このＩＮ＿Ｌ［ｆ］信号は、実数部と虚数部を持つ式（以下、「複素式」と称す）で表現される。ここで、Ｓ１１の処理で、ＩＮ＿Ｌ［ｔ］信号に対してハニング窓をかけるのは、入力されたＩＮ＿Ｌ［ｔ］信号における始点と終点とが、高速フーリエ変換へ与える影響を軽減するためである。
【００３４】
Ｓ１２の処理後、Ｌｃｈ解析処理部Ｓ１０では、ＩＮ＿Ｌ［ｆ］信号のレベル（以下、「ＩＮＬ＿Ｌｖ［ｆ］」と称す）およびＩＮ＿Ｌ［ｆ］信号の位相（以下、「ＩＮＬ＿Ａｒ［ｆ］」と称す）を、各周波数ｆ毎に算出する（Ｓ１３）。具体的には、ＩＮＬ＿Ｌｖ［ｆ］は、ＩＮ＿Ｌ［ｆ］信号の複素式における実数部を２乗した値と、ＩＮ＿Ｌ［ｆ］信号の複素式における虚数部を２乗した値とを足し合わせ、その足し合わせた値の平方根を算出することで求める。また、ＩＮＬ＿Ａｒ［ｆ］は、ＩＮ＿Ｌ［ｆ］信号の複素式における虚数部を実数部で除した値のアークタンジェント（ｔａｎ＾（−１））を算出することで求める。Ｓ１３の処理後、メイン処理部Ｓ３０の処理へと移行する。
【００３５】
Ｒｃｈ解析処理部Ｓ２０では、ＩＮ＿Ｒ［ｔ］信号に対して、Ｓ２１〜Ｓ２３の処理が行われる。なお、このＳ２１〜Ｓ２３の処理は、Ｓ１１〜Ｓ１３の処理と同様の処理であり、Ｓ１１〜Ｓ１３の処理と異なる点は、処理対象が、ＩＮ＿Ｒ［ｔ］信号であり、ＩＮ＿Ｒ［ｆ］信号が出力される点である。よって、Ｓ２１〜Ｓ２３の処理の詳細な説明は省略する。なお、Ｓ２３の処理後、メイン処理部Ｓ３０の処理へと移行する。
【００３６】
次に、Ｌ１ｃｈ出力処理部Ｓ６０、Ｒ１ｃｈ出力処理部Ｓ７０、Ｌ２ｃｈ出力処理部Ｓ７０、Ｒ２ｃｈ出力処理部Ｓ９０について説明する。
【００３７】
Ｌ１ｃｈ出力処理部Ｓ６０では、まず、逆高速フーリエ変換（逆ＦＦＴ）が実行される（Ｓ６１）。この処理では、具体的には、メイン処理部Ｓ３０で算出されたＯＵＴ＿Ｌ１［ｆ］信号と、Ｌｃｈ解析処理部Ｓ１０のＳ１３の処理で算出されたＩＮＬ＿Ａｒ［ｆ］とを使用して、複素式を求め、その複素式に対して、逆高速フーリエ変換を行う。その後、逆高速フーリエ変換で算出された値に対して、Ｌｃｈ解析処理部Ｓ１０およびＲｃｈ解析処理部Ｓ２０で使用したハニング窓と同一の窓をかける窓関数処理を実行する（Ｓ６２）。例えば、Ｌｃｈ解析処理部Ｓ１０およびＲｃｈ解析処理部Ｓ２０で使用した窓関数が、ハニング窓であるとすれば、Ｓ６２の処理でも、ハニング窓を、逆高速フーリエ変換で算出した値に対してかける。これにより、ＯＵＴ１＿Ｌ［ｔ］信号が生成される。なお、Ｓ６２の処理で、逆高速フーリエ変換で算出された値に対してハニング窓をかけるのは、各出力処理部Ｓ６０〜Ｓ９０から出力される信号をクロスフェードしながら合成するためである。
【００３８】
Ｒ１ｃｈ出力処理部Ｓ７０では、Ｓ７１〜Ｓ７２の処理が行われる。なお、このＳ７１〜Ｓ７２の処理は、Ｓ６１〜Ｓ６２の処理と同様の処理であり、Ｓ６１〜Ｓ６２の処理と異なる点は、逆高速フーリエ変換で使用する複素式を求める際の値が、メイン処理部Ｓ３０で算出されたＯＵＴ＿Ｒ１［ｆ］信号と、Ｒｃｈ解析処理部Ｓ２０のＳ２３の処理で算出されたＩＮＲ＿Ａｒ［ｆ］となるところである。それ以外は、Ｓ６１〜Ｓ６２の処理と同一である。よって、Ｓ７１〜Ｓ７２の処理の詳細な説明は省略する。
【００３９】
また、Ｌ２ｃｈ出力処理部Ｓ８０では、Ｓ８１〜Ｓ８２の処理が行われる。なお、このＳ８１〜Ｓ８２の処理は、Ｓ６１〜Ｓ６２の処理と同様の処理であり、Ｓ６１〜Ｓ６２の処理と異なる点は、逆高速フーリエ変換で使用する複素式を求める際の値が、メイン処理部Ｓ３０で算出されたＯＵＴ＿Ｌ２［ｆ］信号となるところである（Ｌｃｈ解析処理部Ｓ１０のＳ１３の処理で算出されたＩＮＬ＿Ａｒ［ｆ］を使用するところは同じ）。それ以外は、Ｓ６１〜Ｓ６２の処理と同一である。よって、Ｓ８１〜Ｓ８２の処理の詳細な説明は省略する。
【００４０】
また、Ｒ２ｃｈ出力処理部Ｓ９０では、Ｓ９１〜Ｓ９２の処理が行われる。なお、このＳ９１〜Ｓ９２の処理は、Ｓ６１〜Ｓ６２の処理と同様の処理であり、Ｓ６１〜Ｓ６２の処理と異なる点は、逆高速フーリエ変換で使用する複素式を求める際の値が、メイン処理部Ｓ３０で算出されたＯＵＴ＿Ｒ２［ｆ］信号と、Ｒｃｈ解析処理部Ｓ２０のＳ２３の処理で算出されたＩＮＲ＿Ａｒ［ｆ］となるところである。それ以外は、Ｓ６１〜Ｓ６２の処理と同一である。よって、Ｓ９１〜Ｓ９２の処理の詳細は省略する。
【００４１】
次に、図４を参照して、メイン処理部Ｓ３０で実行される処理の詳細について説明する。図４は、メイン処理部Ｓ３０で実行される処理を示した図である。
【００４２】
メイン処理部Ｓ３０では、まず、ＩＮ＿Ｌ［ｔ］信号及びＩＮ＿Ｒ［ｔ］信号に対して行ったフーリエ変換（Ｓ１２、Ｓ２２）により得られた各周波数毎に定位ｗ［ｆ］を求めると共に、ＩＮＬ＿Ｌｖ［ｆ］とＩＮＲ＿Ｌｖ［ｆ］とのうち、大きいほうのレベルを、各周波数における最大レベルＭＬ［ｆ］として設定する（Ｓ３１）。Ｓ３１で求められた定位ｗ［ｆ］および設定された最大レベルＭＬ［ｆ］は、ＲＡＭ１６の所定領域に記憶される。なお、Ｓ３１において、定位ｗ［ｆ］は、（１／π）×（ａｒｃｔａｎ（ＩＮＲ＿Ｌｖ［ｆ］／ＩＮＬ＿Ｌｖ［ｆ］）＋０．２５で求められる。よって、任意の基準点で楽音を受音した場合に、即ち、任意の基準点でＩＮ＿Ｌ［ｔ］およびＩＮ＿Ｒ［ｔ］を入力した場合に、ＩＮＲ＿Ｌｖ［ｆ］がＩＮＬ＿Ｌｖ［ｆ］に対して十分大きければ、定位ｗ［ｆ］は０．７５となる一方、ＩＮＬ＿Ｌｖ［ｆ］がＩＮＲ＿Ｌｖ［ｆ］に対して十分大きければ、定位ｗ［ｆ］は０．２５となる。
【００４３】
次に、メモリのクリアを行う（Ｓ３２）。具体的には、ＲＡＭ１６の内部に設けられた、１Ｌ［ｆ］メモリ、１Ｒ［ｆ］メモリ、２Ｌ［ｆ］メモリおよび２Ｒ［ｆ］メモリをゼロクリアする。なお、１Ｌ［ｆ］メモリおよび１Ｒ［ｆ］メモリは、メイン処理部Ｓ３０から出力されるＯＵＴ＿Ｌ１［ｆ］信号およびＯＵＴ＿Ｒ１［ｆ］信号によって形成される定位を変更する場合に使用されるメモリであり、２Ｌ［ｆ］メモリおよび２Ｒ［ｆ］メモリは、メイン処理部Ｓ３０から出力されるＯＵＴ＿Ｌ２［ｆ］信号およびＯＵＴ＿Ｒ２［ｆ］信号によって形成される定位を変更する場合に使用されるメモリである。
【００４４】
Ｓ３２の実行後、第１取り出し処理（Ｓ１００）、第２取り出し処理（Ｓ２００）および指定以外を取り出す処理（Ｓ３００）がそれぞれ実行される。第１取り出し処理（Ｓ１００）は、予め設定された第１条件で、信号処理を施す対象となる信号を、つまり抽出信号を抽出する処理であり、第２取り出し処理（Ｓ２００）は、予め設定された第２条件で、抽出信号を抽出する処理である。また、指定以外を取り出す処理（Ｓ３００）は、第１条件および第２条件以外で、抽出信号を抽出する処理である。なお、指定以外を取り出す処理（Ｓ３００）は、第１取り出し処理（Ｓ１００）および第２取り出し処理（Ｓ２００）の処理結果を使用するので、第１取り出し処理（Ｓ１００）および第２取り出し処理（Ｓ２００）の処理完了後に実行される。
【００４５】
第１取り出し処理（Ｓ１００）の実行後は、その処理（Ｓ１００）で抽出された抽出信号へ信号処理を施す第１信号処理が実行される（Ｓ１１０）。また、第２取り出し処理（Ｓ２００）の実行後は、その処理（Ｓ２００）で抽出された抽出信号へ信号処理を施す第２信号処理が実行される（Ｓ２１０）。更に、指定以外を取り出す処理（Ｓ３００）の実行後は、その処理（Ｓ３００）で抽出された抽出信号へ信号処理を施す指定外信号処理が実行される（Ｓ３１０）。
【００４６】
ここで、図５を参照して、第１取り出し処理（Ｓ１００）、第１信号処理（Ｓ１１０）、第２取り出し処理（Ｓ２００）および第２信号処理（Ｓ２１０）を説明し、次に、図６を参照して、指定以外を取り出す処理（Ｓ３００）および指定外信号処理（Ｓ３１０）を説明する。
【００４７】
まず、第１取り出し処理（Ｓ１００）、第１信号処理（Ｓ１１０）、第２取り出し処理（Ｓ２００）および第２信号処理（Ｓ２１０）について説明する。図５は、第１取り出し処理（Ｓ１００）、第１信号処理（Ｓ１１０）、第２取り出し処理（Ｓ２００）および第２信号処理（Ｓ２１０）で行われる処理の詳細を示した図である。
【００４８】
第１取り出し処理（Ｓ１００）では、周波数ｆが、予め設定された第１周波数範囲内であり、かつ、第１周波数範囲内の周波数における定位ｗ［ｆ］および最大レベルＭＬ［ｆ］がそれぞれ、予め設定された第１設定範囲内であるか否か、即ち、楽音信号が第１条件を満たすか否かが判定される（Ｓ１０１）。周波数ｆが、予め設定された第１周波数範囲内であり、かつ、第１周波数範囲内の周波数における定位ｗ［ｆ］および最大レベルＭＬ［ｆ］がそれぞれ、予め設定された第１設定範囲内である場合には（Ｓ１０１：Ｙｅｓ）、その周波数ｆにおける楽音信号（左チャンネル信号および右チャンネル信号）は、抽出信号であると判定され、配列ｒｅｌ［ｆ］［１］に１．０が代入される（Ｓ１０２）。なお、図面上では、配列ｒｅｌにおける「ｌ（エル）」部分を、筆記体のエルとして表示している。配列ｒｅｌ［ｆ］［１］に記載のｆには、Ｓ１０１でＹｅｓと判定された時点の周波数が代入される。また、配列ｒｅｌ［ｆ］［１］に記載の１は、配列ｒｅｌ［ｆ］［１］が、第１取り出し処理（Ｓ１００）における抽出信号であることを示している。
【００４９】
なお、周波数ｆが、予め設定された第１周波数範囲内でないか、または、第１周波数範囲内の周波数ｆにおける定位ｗ［ｆ］が第１設定範囲内でないか、或いは、第１周波数範囲内の周波数ｆにおける最大レベルＭＬ［ｆ］が、第１設定範囲内でない場合には（Ｓ１０１：Ｎｏ）、その周波数ｆにおける楽音信号（左チャンネル信号および右チャンネル信号）は、抽出信号でないと判定され、配列ｒｅｌ［ｆ］［１］に０．０が代入される（Ｓ１０３）。
【００５０】
Ｓ１０２またはＳ１０３の処理後、フーリエ変換された全ての周波数について、Ｓ１０１の処理が完了したか否かが判定され（Ｓ１０４）、Ｓ１０４の判定が否定される場合には（Ｓ１０４：Ｎｏ）、Ｓ１０１の処理へ戻る一方、Ｓ１０４の判定が肯定される場合には（Ｓ１０４：Ｙｅｓ）、第１信号処理（Ｓ１１０）へ移行する。
【００５１】
第１信号処理（Ｓ１１０）では、ＯＵＴ＿Ｌ１［ｆ］信号の一部となる１Ｌ［ｆ］信号のレベルを調整すると共に、ＯＵＴ＿Ｒ１［ｆ］信号の一部となる１Ｒ［ｆ］信号のレベルを調整することで、第１取り出し処理（Ｓ１００）での抽出信号によって形成される定位（メインスピーカから出力される分）を調整するＳ１１１の処理が行われる。また、このＳ１１１の処理と平行して、第１信号処理（Ｓ１１０）では、ＯＵＴ＿Ｌ２［ｆ］信号の一部となる２Ｌ［ｆ］信号のレベルを調整すると共に、ＯＵＴ＿Ｒ２［ｆ］信号の一部となる２Ｒ［ｆ］信号のレベルを調整することで、第１取り出し処理（Ｓ１００）での抽出信号によって形成される定位（サブスピーカから出力される分）を調整するＳ１１４の処理が行われる。
【００５２】
Ｓ１１１の処理では、ＯＵＴ＿Ｌ１［ｆ］信号の一部となる１Ｌ［ｆ］信号が算出される。具体的には、「ＩＮＬ＿Ｌｖ［ｆ］×ｌｌ＋ＩＮＲ＿Ｌｖ［ｆ］×ｌｒ）×ｒｅｌ［ｆ］［１］×ａ」が、ＩＮ＿Ｌ［ｔ］信号及びＩＮ＿Ｒ［ｔ］信号に対して行ったフーリエ変換（Ｓ１２、Ｓ２２）により得られた全ての周波数について行われて、１Ｌ［ｆ］信号が算出される。同様に、Ｓ１１１の処理では、ＯＵＴ＿Ｒ１［ｆ］信号の一部となる１Ｒ［ｆ］信号が算出される。具体的には、「ＩＮＬ＿Ｌｖ［ｆ］×ｒｌ＋ＩＮＲ＿Ｌｖ［ｆ］×ｒｒ）×ｒｅｌ［ｆ］［１］×ａ」が、Ｓ１２，Ｓ２２においてフーリエ変換された全ての周波数について行われて、１Ｒ［ｆ］信号が算出される。
【００５３】
なお、ａは、第１信号処理に対して予め定められた係数であり、ｌｌ，ｌｒ，ｒｌ，ｒｒは、楽音信号（左チャンネル信号、右チャンネル信号）から求められる定位ｗ［ｆ］と、第１信号処理に対して予め定められた目標とする定位（例えば、０．２５〜０．７５の範囲内の値）とに応じて決定される係数である。なお、図面上では、「ｌ（エル）」を、筆記体のエルとして表記している。ここで、図７を参照して、ｌｌ，ｌｒ，ｒｌ，ｒｒについて説明する。図７は、定位ｗ［ｆ］と目標とする定位とに応じて決定される各係数を説明するためのグラフである。図７のグラフにおいて、横軸は、（目標とする定位−定位ｗ［ｆ］＋０．５）の値であり、縦軸は、各係数（ｌｌ，ｌｒ，ｒｌ，ｒｒ，ｌｌ´，ｌｒ´，ｒｌ´，ｒｒ´）である。
【００５４】
ｌｌとｒｒとの関係は、図７（ａ）に示す通りである。よって、（目標とする定位−定位ｗ［ｆ］＋０．５）の値が０．５である場合に、ｌｌとｒｒとは、互いに最大の係数となる。逆に、ｌｒとｒｌとの関係は、図７（ｂ）に示すようになり、（目標とする定位−定位ｗ［ｆ］＋０．５）の値が０．５である場合に、ｌｒとｒｌとは、互いに最小の（ゼロの）係数となる。
【００５５】
図５の説明に戻る。Ｓ１１１の処理後、１Ｌ［ｆ］信号に対して、ピッチ変更、レベル変更やリバーブ付与を行う加工処理が行われる（Ｓ１１２）。なお、ピッチ変更、レベル変更、及びリバーブ付与（所謂、コンボリューション・リバーブ）については、いずれも公知技術であるので、それらの具体的説明は省略する。１Ｌ［ｆ］信号に対してＳ１１２の処理が行われると、ＯＵＴ＿Ｌ１［ｆ］信号を構成する１Ｌ＿１［ｆ］信号が生成される。同様に、Ｓ１１１の処理後、１Ｒ［ｆ］信号に対して、ピッチ変更、レベル変更やリバーブ付与を行う加工処理が行われる（Ｓ１１３）。１Ｒ［ｆ］信号に対してＳ１１３の処理が行われると、ＯＵＴ＿Ｒ１［ｆ］信号を構成する１Ｒ＿１［ｆ］信号が生成される。
【００５６】
また、Ｓ１１４の処理では、ＯＵＴ＿Ｌ２［ｆ］信号の一部となる２Ｌ［ｆ］信号が算出される。具体的には、「ＩＮＬ＿Ｌｖ［ｆ］×ｌｌ´＋ＩＮＲ＿Ｌｖ［ｆ］×ｌｒ´）×ｒｅｌ［ｆ］［１］×ｂ」が、ＩＮ＿Ｌ［ｔ］信号及びＩＮ＿Ｒ［ｔ］信号に対して行ったフーリエ変換（Ｓ１２、Ｓ２２）により得られた全ての周波数について行われて、２Ｌ［ｆ］信号が算出される。同様に、Ｓ１１４の処理では、ＯＵＴ＿Ｒ２［ｆ］信号の一部となる２Ｒ［ｆ］信号が算出される。具体的には、「ＩＮＬ＿Ｌｖ［ｆ］×ｒｌ´＋ＩＮＲ＿Ｌｖ［ｆ］×ｒｒ´）×ｒｅｌ［ｆ］［１］×ｂ」が、Ｓ１２，Ｓ２２においてフーリエ変換された全ての周波数について行われて、２Ｒ［ｆ］信号が算出される。
【００５７】
なお、ｂは、第１信号処理に対して予め定められた係数である。この係数ｂは、係数ａと同じであっても異なっていてもよい。また、ｌｌ´，ｌｒ´，ｒｌ´，ｒｒ´は、楽音信号から求められる定位ｗ［ｆ］と、第２信号処理に対して予め定められた目標とする定位（例えば、０．２５〜０．７５の範囲内の値）とによって決定される係数である。ここで、図７を参照して、ｌｌ´，ｌｒ´，ｒｌ´，ｒｒ´について説明する。ｌｌ´とｒｒ´との関係は、図７（ａ）に示すようになり、（目標とする定位−定位ｗ［ｆ］＋０．５）の値が０．０である場合に、ｌｌ´は最大の係数となる一方で、ｒｒ´は最小の（ゼロの）係数となる。逆に、（目標とする定位−定位ｗ［ｆ］＋０．５）の値が１．０である場合に、ｌｌ´は最小の（ゼロの）係数となる一方で、ｒｒ´は最大の係数となる。
【００５８】
同様に、ｌｒ´とｒｌ´との関係は、図７（ｂ）に示すようになり、（目標とする定位−定位ｗ［ｆ］＋０．５）の値が０．０である場合に、ｌｒ´は最大の係数となる一方で、ｒｌ´は最小の（ゼロの）係数となる。逆に、（目標とする定位−定位ｗ［ｆ］＋０．５）の値が１．０である場合に、ｌｒ´は最小の（ゼロの）係数となる一方で、ｒｌ´は最大の係数となる。
【００５９】
図５の説明に戻る。Ｓ１１４の処理後、２Ｌ［ｆ］信号に対して、ピッチ変更、レベル変更やリバーブ付与を行う加工処理が行われる（Ｓ１１５）。２Ｌ［ｆ］信号に対してＳ１１５の処理が行われると、ＯＵＴ＿Ｌ２［ｆ］信号を構成する２Ｌ＿１［ｆ］信号が生成される。同様に、Ｓ１１４の処理後、２Ｒ［ｆ］信号に対して、ピッチ変更、レベル変更やリバーブ付与を行う加工処理が行われる（Ｓ１１６）。２Ｒ［ｆ］信号に対してＳ１１６の処理が行われると、ＯＵＴ＿Ｒ２［ｆ］信号を構成する２Ｒ＿１［ｆ］信号が生成される。
【００６０】
第１取り出し処理Ｓ１００と平行して実行される第２取り出し処理Ｓ２００では、周波数ｆが、予め設定された第２周波数範囲内であり、かつ、第２周波数範囲内の周波数における定位ｗ［ｆ］および最大レベルＭＬ［ｆ］がそれぞれ、予め設定された第２設定範囲内であるか否か、即ち、楽音信号が第２条件を満たすか否かが判定される（Ｓ２０１）。本実施形態では、第２周波数範囲は、第１周波数範囲とは異なる範囲（範囲開始と範囲終了とが完全には一致しない範囲）であり、第２設定範囲は、第１設定範囲とは異なる範囲（範囲開始と範囲終了とが完全には一致しない範囲）とする。なお、第２周波数範囲は、第１周波数範囲に一部重なる範囲であってもよいし、第１周波数範囲と完全に一致する範囲であってもよい。第２設定範囲もまた、第１設定範囲に一部重なる範囲であってもよく、第１設定範囲と完全に一致する範囲であってもよい。
【００６１】
周波数ｆが、予め設定された第２周波数範囲内であり、かつ、第２周波数範囲内の周波数における定位ｗ［ｆ］および最大レベルＭＬ［ｆ］がそれぞれ、予め設定された第２設定範囲内である場合には（Ｓ２０１：Ｙｅｓ）、その周波数ｆにおける楽音信号（左チャンネル信号および右チャンネル信号）は、抽出信号であると判定され、配列ｒｅｌ［ｆ］［２］に１．０が代入される（Ｓ１０２）。なお、配列ｒｅｌ［ｆ］［２］に記載の２は、配列ｒｅｌ［ｆ］［２］が、第２取り出し処理Ｓ２００における抽出信号であることを示している。
【００６２】
なお、周波数ｆが、予め設定された第２周波数範囲内でないか、または、第２周波数範囲内の周波数ｆにおける定位ｗ［ｆ］が第２設定範囲内でないか、或いは、第２周波数範囲内の周波数ｆにおける最大レベルＭＬ［ｆ］が、第２設定範囲内でない場合には（Ｓ２０１：Ｎｏ）、その周波数ｆにおける楽音信号（左チャンネル信号および右チャンネル信号）は、抽出信号でないと判定され、配列ｒｅｌ［ｆ］［２］に０．０が代入される（Ｓ２０３）。
【００６３】
Ｓ２０２またはＳ２０３の処理後、フーリエ変換された全ての周波数について、Ｓ２０１の処理が完了したか否かが判定され（Ｓ２０４）、Ｓ２０４の判定が否定される場合には（Ｓ２０４：Ｎｏ）、Ｓ２０１の処理へ戻る一方、Ｓ２０４の判定が肯定される場合には（Ｓ２０４：Ｙｅｓ）、第２信号処理（Ｓ２１０）へ移行する。
【００６４】
第２信号処理（Ｓ２１０）では、ＯＵＴ＿Ｌ１［ｆ］信号の一部となる１Ｌ［ｆ］信号のレベルを調整すると共に、ＯＵＴ＿Ｒ１［ｆ］信号の一部となる１Ｒ［ｆ］信号のレベルを調整することで、第２取り出し処理（Ｓ２００）での抽出信号によって形成される定位（メインスピーカから出力される分）を調整するＳ２１１の処理が行われる。また、このＳ２１１の処理と平行して、第２信号処理（Ｓ２１０）では、ＯＵＴ＿Ｌ２［ｆ］信号の一部となる２Ｌ［ｆ］信号のレベルを調整すると共に、ＯＵＴ＿Ｒ２［ｆ］信号の一部となる２Ｒ［ｆ］信号のレベルを調整することで、第２取り出し処理（Ｓ２００）での抽出信号によって形成される定位（サブスピーカから出力される分）を調整するＳ２１４の処理が行われる。
【００６５】
ここで、第２信号処理（Ｓ２１０）におけるＳ２１１〜Ｓ２１６の各処理は、以下に説明する点が異なっていること以外は、第１信号処理（Ｓ１１０）におけるＳ１１１〜Ｓ１１６の各処理と同様に行われるので、その説明は省略する。第２信号処理（Ｓ２１０）と第１信号処理（Ｓ１１０）との第１の相違点は、第１信号処理に入力される信号が、第１取り出し処理（Ｓ１００）からの抽出信号であるのに対し、第２信号処理に入力される信号は、第２取り出し処理（Ｓ２００）からの抽出信号である点であり、第２の相違点は、第１信号処理では、配列ｒｅｌ［ｆ］［１］を用いるのに対し、第２信号処理では、配列ｒｅｌ［ｆ］［２］をそれぞれ用いる点であり、第３の相違点は、第１信号処理から出力される信号が、１Ｌ＿１［ｆ］、１Ｒ＿１［ｆ］、１Ｌ＿２［ｆ］、及び１Ｒ＿２［ｆ］であるのに対し、第２信号処理から出力される信号は、２Ｌ＿１［ｆ］、２Ｒ＿１［ｆ］、２Ｌ＿２［ｆ］、及び２Ｒ＿２［ｆ］である点である。
【００６６】
なお、第１信号処理（Ｓ１１０）で目標とする定位と、第２信号処理（Ｓ２１０）で目標とする定位とは、同じであっても異なっていてもよい。つまり、第１信号処理と第２信号処理とで目標とする定位が異なる場合には、第１信号処理で用いる係数ｌｌ，ｌｒ，ｒｌ，ｒｒ，ｌｌ´，ｌｒ´，ｒｌ´，ｒｒ´と、第２信号処理で用いる係数ｌｌ，ｌｒ，ｒｌ，ｒｒ，ｌｌ´，ｌｒ´，ｒｌ´，ｒｒ´が異なることになる。また、第１信号処理で用いる係数ａ，ｂと、第２信号処理で用いる係数ａ，ｂとは、同じであっても異なっていてもよい。また、第１信号処理の中で実行される加工処理Ｓ１１２，Ｓ１１３，Ｓ１１５，Ｓ１１６の内容と、第２信号処理（Ｓ２１０）の中で実行される加工処理Ｓ２１２，Ｓ２１３，Ｓ２１５，Ｓ２１６の内容は、同じであっても異なっていてもよい。
【００６７】
次に、指定以外を取り出す処理（Ｓ３００）および指定外信号処理（Ｓ３１０）について説明する。図６は、指定以外を取り出す処理（Ｓ３００）および指定外信号処理（Ｓ３１０）で行われる処理の詳細を示した図である。
【００６８】
指定以外を取り出す処理（Ｓ３００）では、まず、Ｓ１２，Ｓ２２においてフーリエ変換された周波数のうち、最も低い周波数におけるｒｅｌ［ｆ］［１］が０．０であり、かつ、最も低い周波数におけるｒｅｌ［ｆ］［２］が０．０であるか、即ち、最も低い周波数における楽音信号（左チャンネル信号および右チャンネル信号）が抽出信号として、第１取り出し処理（Ｓ１００）または第２取り出し処理（Ｓ２００）で抽出されていないかを判定する（Ｓ３０１）。なお、本実施形態では、第１取り出し処理（Ｓ１００）におけるＳ１０２，Ｓ１０３で設定されたｒｅｌ［ｆ］［１］の値、及び、第２取り出し処理（Ｓ２００）におけるＳ２０２，Ｓ２０３で設定されたｒｅｌ［ｆ］［２］の値を用いてＳ３０１の判定を行うものとする。また、Ｓ３０１の処理を行う前に、第１、第２取り出し処理（Ｓ１００，Ｓ２００）と同様の処理を別途実行し、その際に得られたｒｅｌ［ｆ］［１］の値及びｒｅｌ［ｆ］［２］の値を用いてＳ３０１の判定を行ってもよい。
【００６９】
最も低い周波数におけるｒｅｌ［ｆ］［１］が０．０であり、かつ、最も低い周波数におけるｒｅｌ［ｆ］［２］が０．０である場合には（Ｓ３０１：Ｙｅｓ）、最も低い周波数における楽音信号が抽出信号として、第１取り出し処理（Ｓ１００）または第２取り出し処理（Ｓ２００）で未だ抽出されていないと判定されて、配列ｒｅｍａｉｎ［ｆ］に、１．０を代入する（Ｓ３０２）。ここで、ｒｅｍａｉｎ［ｆ］に代入される１．０は、最も低い周波数における楽音信号が指定以外を取り出す処理（Ｓ３００）における抽出信号であることを示している。なお、ｒｅｍａｉｎ［ｆ］に記載のｆには、Ｓ３０１でＹｅｓと判定された時点の周波数が代入される。
【００７０】
一方、最も低い周波数におけるｒｅｌ［ｆ］［１］が１．０である場合、または、最も低い周波数におけるｒｅｌ［ｆ］［２］が１．０である場合、或いは、両方が１．０である場合には（Ｓ３０１：Ｎｏ）、最も低い周波数における楽音信号が抽出信号として、第１取り出し処理Ｓ１００または第２取り出し処理Ｓ２００で既に抽出されていると判定され、配列ｒｅｍａｉｎ［ｆ］に、０．０を代入する（Ｓ３０２）。ここで、ｒｅｍａｉｎ［ｆ］に代入される０．０は、最も低い周波数における楽音信号が指定以外を取り出す処理（Ｓ３００）における抽出信号とはならないことを示している。
【００７１】
Ｓ３０２またはＳ３０３の処理後、Ｓ１２，Ｓ２２においてフーリエ変換された全ての周波数について、Ｓ３０１の処理が完了したか否かが判定され（Ｓ３０４）、Ｓ３０４の判定が否定される場合には（Ｓ３０４：Ｎｏ）、Ｓ３０１の処理へ戻り、Ｓ３０１の判定が未だ行われていない周波数のうち、最も低い周波数に対して、Ｓ３０１の判定が行われる一方、Ｓ３０４の判定が肯定される場合には（Ｓ３０４：Ｙｅｓ）、指定外信号処理（Ｓ３１０）へ移行する。
【００７２】
指定外信号処理（Ｓ３１０）では、ＯＵＴ＿Ｌ１［ｆ］信号の一部となる１Ｌ［ｆ］信号のレベルを調整すると共に、ＯＵＴ＿Ｒ１［ｆ］信号の一部となる１Ｒ［ｆ］信号のレベルを調整することで、指定以外を取り出す処理（Ｓ３００）での抽出信号によって形成される定位（メインスピーカから出力される分）を調整するＳ３１１の処理が行われる。また、このＳ３１１の処理と平行して、指定外信号処理（Ｓ３１０）では、ＯＵＴ＿Ｌ２［ｆ］信号の一部となる２Ｌ［ｆ］信号のレベルを調整すると共に、ＯＵＴ＿Ｒ２［ｆ］信号の一部となる２Ｒ［ｆ］信号のレベルを調整することで、指定以外を取り出す処理（Ｓ３００）での抽出信号によって形成される定位（サブスピーカから出力される分）を調整するＳ３１４の処理が行われる。
【００７３】
Ｓ３１１の処理では、ＯＵＴ＿Ｌ１［ｆ］信号の一部となる１Ｌ［ｆ］信号が算出される。具体的には、「（ＩＮＬ＿Ｌｖ［ｆ］×ｌｌ＋ＩＮＲ＿Ｌｖ［ｆ］×ｌｒ）×ｒｅｍａｉｎ［ｆ］×ｃ」が、Ｓ１２，Ｓ２２においてフーリエ変換された全ての周波数について行われて、１Ｌ［ｆ］信号が算出される。同様に、Ｓ３１１の処理では、ＯＵＴ＿Ｒ１［ｆ］信号の一部となる１Ｒ［ｆ］信号が算出される。具体的には、「（ＩＮＬ＿Ｌｖ［ｆ］×ｒｌ＋ＩＮＲ＿Ｌｖ［ｆ］×ｒｒ）×ｒｅｍａｉｎ［ｆ］×ｃ」が、Ｓ１２，Ｓ２２においてフーリエ変換された全ての周波数について行われて、１Ｒ［ｆ］信号が算出される。なお、ｃは、この指定外信号処理（Ｓ３１０）において１Ｌ［ｆ］及び１Ｒ［ｆ］を算出するために予め定められた係数であり、この係数ｃは、上述した係数ａ，ｂと同じであっても異なっていてもよい。
【００７４】
Ｓ３１１の処理後、１Ｌ［ｆ］信号に対して、ピッチ変更、レベル変更やリバーブ付与を行う加工処理が行われる（Ｓ３１２）。１Ｌ［ｆ］信号に対してＳ３１２の処理が行われると、ＯＵＴ＿Ｌ１［ｆ］信号を構成する１Ｌ＿３［ｆ］信号が生成される。同様に、Ｓ３１１の処理後、１Ｒ［ｆ］信号に対して、ピッチ変更、レベル変更やリバーブ付与を行う加工処理が行われる（Ｓ３１３）。１Ｒ［ｆ］信号に対してＳ１１３の処理が行われると、ＯＵＴ＿Ｒ１［ｆ］信号を構成する１Ｒ＿３［ｆ］信号が生成される。
【００７５】
また、Ｓ３１４の処理では、ＯＵＴ＿Ｌ２［ｆ］信号の一部となる２Ｌ［ｆ］信号が算出される。具体的には、「（ＩＮＬ＿Ｌｖ［ｆ］×ｌｌ´＋ＩＮＲ＿Ｌｖ［ｆ］×ｌｒ´）×ｒｅｍａｉｎ［ｆ］×ｄ」が、Ｓ１２，Ｓ２２においてフーリエ変換された全ての周波数について行われて、２Ｌ［ｆ］信号が算出される。同様に、Ｓ３１４の処理では、ＯＵＴ＿Ｒ２［ｆ］信号の一部となる２Ｒ［ｆ］信号が算出される。具体的には、「（ＩＮＬ＿Ｌｖ［ｆ］×ｒｌ´＋ＩＮＲ＿Ｌｖ［ｆ］×ｒｒ´）×ｒｅｍａｉｎ［ｆ］×ｄ」が、Ｓ１２，Ｓ２２においてフーリエ変換された全ての周波数について行われて、２Ｒ［ｆ］信号が算出される。なお、ｄは、この指定外信号処理（Ｓ３１０）において２Ｌ［ｆ］及び２Ｒ［ｆ］を算出するために予め定められた係数であり、この係数ｄは、上述した係数ａ，ｂ，ｃと同じであっても異なっていてもよい。
【００７６】
Ｓ３１４の処理後、２Ｌ［ｆ］信号に対して、ピッチ変更、レベル変更やリバーブ付与を行う加工処理が行われる（Ｓ３１５）。２Ｌ［ｆ］信号に対してＳ３１５の処理が行われると、ＯＵＴ＿Ｌ２［ｆ］信号を構成する２Ｌ＿３［ｆ］信号が生成される。同様に、Ｓ３１４の処理後、２Ｒ［ｆ］信号に対して、ピッチ変更、レベル変更やリバーブ付与を行う加工処理が行われる（Ｓ３１６）。２Ｒ［ｆ］信号に対してＳ３１６の処理が行われると、ＯＵＴ＿Ｒ２［ｆ］信号を構成する２Ｒ＿３［ｆ］信号が生成される。
【００７７】
上述した通り、メイン処理部Ｓ３０では、図５及び図６に示すように、Ｓ１１１，Ｓ２１１，Ｓ３１１の処理に加え、Ｓ１１４，Ｓ２１４，Ｓ３１４の処理が実行される。これにより、抽出された抽出信号における左チャンネル信号および右チャンネル信号を分配して、その分配した左チャンネル信号および右チャンネル信号に対し、各々独立した信号処理を施すことができる。そのため、抽出された抽出信号から分配された左および右チャンネル信号の各々に対して、異なる信号処理（定位を変更する処理）を施すことができる。もちろん、抽出された抽出信号から分配された左および右チャンネル信号の各々に対して、同一の信号処理を施すことも可能である。ここで、Ｓ１１１，Ｓ２１１，Ｓ３１１の処理で生成された信号は、加工処理の後、メインスピーカ用の端子であるＯＵＴ１＿Ｌ端子およびＯＵＴ１＿Ｒ端子から出力される一方で、Ｓ１１４，Ｓ２１４，Ｓ３１４の処理で生成された信号は、加工処理の後、サブスピーカ用の端子であるＯＵＴ２＿Ｌ端子およびＯＵＴ２＿Ｒ端子から出力される。よって、所望の条件毎に抽出信号を抽出した後、所望の条件における抽出信号（言い換えれば、１の条件における抽出信号）に対して、異なる信号処理や加工処理を施した場合には、その異なる信号処理や加工処理を施した各々の抽出信号を、ＯＵＴ１端子およびＯＵＴ２端子の各々から、別々に出力することができる。
【００７８】
図４の説明に戻る。第１信号処理（Ｓ１１０）、第２信号処理（Ｓ２１０）および指定外信号処理（Ｓ３１０）が実行完了すると、第１信号処理（Ｓ１１０）で生成された１Ｌ＿１［ｆ］信号と第２信号処理（Ｓ２１０）で生成された１Ｌ＿２［ｆ］信号と指定外信号処理（Ｓ３１０）で生成された１Ｌ＿３［ｆ］信号とが合成されて、ＯＵＴ＿Ｌ１［ｆ］信号が生成される。そして、そのＯＵＴ＿Ｌ１［ｆ］信号がＬ１ｃｈ出力処理部Ｓ６０（図３参照）に入力されると、Ｌ１ｃｈ出力処理部Ｓ６０は、入力したＯＵＴ＿Ｌ１［ｆ］信号をＯＵＴ１＿Ｌ［ｔ］へ変換して、バスライン１７を介し、Ｌｃｈ用第１Ｄ／Ａコンバータ１３Ｌ１（図１参照）へ出力する。
【００７９】
同様に、第１信号処理（Ｓ１１０）で生成された１Ｒ＿１［ｆ］信号と第２信号処理（Ｓ２１０）で生成された１Ｒ＿２［ｆ］信号と指定外信号処理（Ｓ３１０）で生成された１Ｒ＿３［ｆ］信号とが合成されて、ＯＵＴ＿Ｒ１［ｆ］信号が生成される。そして、そのＯＵＴ＿Ｒ１［ｆ］信号がＲ１ｃｈ出力処理部Ｓ７０（図３参照）に入力されると、Ｒ１ｃｈ出力処理部Ｓ７０は、入力したＯＵＴ＿Ｒ１［ｆ］信号をＯＵＴ１＿Ｒ［ｔ］信号へ変換して、バスライン１７を介し、Ｒｃｈ用第１Ｄ／Ａコンバータ１３Ｒ１（図１参照）へ出力する。なお、ＯＵＴ＿Ｌ２［ｆ］信号およびＯＵＴ＿Ｒ２［ｆ］信号の生成と、ＯＵＴ２＿Ｌ［ｔ］信号およびＯＵＴ２＿Ｒ［ｔ］信号の変換も、上述と同様に行われる。
【００８０】
このように、ＯＵＴ＿Ｌ１［ｆ］信号の生成においては、第１信号処理（Ｓ１１０）で生成された１Ｌ＿１［ｆ］信号と第２信号処理（Ｓ２１０）で生成された１Ｌ＿２［ｆ］信号との合成に加え、指定外信号処理（Ｓ３１０）で生成された１Ｌ＿３［ｆ］信号が合成される。同様に、ＯＵＴ＿Ｒ１［ｆ］信号の生成においては、第１信号処理（Ｓ１１０）で生成された１Ｒ＿１［ｆ］信号と第２信号処理（Ｓ２１０）で生成された１Ｒ＿２［ｆ］信号との合成に加え、指定外信号処理（Ｓ３１０）で生成された１Ｒ＿３［ｆ］信号が合成される。よって、所望の条件毎に抽出された抽出信号に対し、第１信号処理（Ｓ１１０）または第２信号処理（Ｓ２１０）で抽出されなかった信号を合成することができる。従って、ＯＵＴ＿Ｌ１［ｆ］信号およびＯＵＴ＿Ｒ１［ｆ］を、入力された楽音信号と同様の信号に、即ち、広がりのある自然な楽音にすることができる。
【００８１】
上述した通り、第１実施形態のエフェクタ１では、第１取り出し処理（Ｓ１００）あるいは第２取り出し処理（Ｓ２００）で抽出された抽出信号に対し、信号処理（Ｓ１１０，Ｓ２１０）を行う。ここで、第１取り出し処理（Ｓ１００）および第２取り出し処理（Ｓ２００）は、設定された各条件毎に（周波数、定位および最大レベルが一組となった条件毎に）、各々の条件を満たす楽音信号を（左チャンネル信号および右チャンネル信号を）、抽出信号として抽出する。よって、信号処理を施す対象となる抽出信号の抽出を、複数の各条件（周波数、定位および最大レベルが一組となった条件の各々）にわたって行うことができる。
【００８２】
次に、図８及び図９を参照して、第２実施形態のエフェクタ１について説明する。なお、この第２実施形態において、上述した第１実施形態と同一の部分には、同一の符号を付して、その説明を省略する。
【００８３】
この第２実施形態のエフェクタ１は、第１実施形態のエフェクタ１と同様に、第１又は第２取り出し処理（Ｓ１００，Ｓ２００）により設定条件に基づいて抽出された楽音信号（即ち、抽出信号）に対し、各取り出し処理の設定条件毎に独立して第１又は第２信号処理（Ｓ１１０，Ｓ２１０）を施すことができるものであるが、かかる第１又は第２信号処理において、音像拡大縮小処理を行い、音像を拡大（即ち、１倍より大きい拡大率での拡大）又は縮小（即ち、０倍より大きく１倍より小さい拡大率での拡大）できるように構成されている。
【００８４】
まず、図８を参照して、第２実施形態のエフェクタ１が行う音像拡大縮小処理の概要について説明する。図８は、第２実施形態における音像拡大縮小処理により音像が拡大又は縮小される様子を示した模式図である。
【００８５】
第１又は第２取り出し処理（Ｓ１００，Ｓ２００）により抽出信号を抽出するための条件（即ち、周波数、定位および最大レベルを一組として設定される条件）は、周波数及び定位を２軸として形成される座標面では、条件とされる周波数の範囲（第１周波数範囲、第２周波数範囲）と、条件とされる定位の範囲（第１設定範囲、第２設定範囲）とを隣接する２辺とする矩形領域（以下、この矩形領域を「取り出し領域」と称す）として表される。抽出信号は、その矩形領域内に存在する。なお、図８では、周波数の範囲を、Ｌｏｗ≦周波数ｆ≦Ｈｉｇｈとし、定位の範囲を、ｐａｎＬ≦定位ｗ［ｆ］≦ｐａｎＲとし、取り出し領域を、周波数ｆ＝Ｌｏｗであり、定位ｗ［ｆ］＝ｐａｎＬである点と、周波数ｆ＝Ｌｏｗであり、定位ｗ［ｆ］＝ｐａｎＲである点と、周波数ｆ＝Ｈｉｇｈであり、定位ｗ［ｆ］＝ｐａｎＲである点と、周波数ｆ＝Ｈｉｇｈであり、定位ｗ［ｆ］＝ｐａｎＬである点との４点を頂点とする矩形領域として表している。
【００８６】
音像拡大縮小処理は、取り出し領域内にある抽出信号の定位ｗ［ｆ］を、音像の拡大又は縮小の目標とする領域（以下、「目標領域」と称す）内に線形写像することにより移動させる処理である。目標領域は、その一端側の境界定位を周波数に応じて規定する音像拡大関数ＹＬ（ｆ）と、他端側の境界定位を周波数に応じて規定する音像拡大関数ＹＲ（ｆ）と、周波数範囲（Ｌｏｗ≦周波数ｆ≦Ｈｉｇｈ）とにより囲まれる領域である。
【００８７】
本実施形態の音像拡大縮小処理では、定位の範囲（図８におけるｐａｎＬ≦定位ｗ［ｆ］≦ｐａｎＲの範囲）の中心、即ち、図８におけるｐａｎＣを基準定位とし、取り出し領域内の抽出信号のうち、ｐａｎＣよりｐａｎＬ側に定位する抽出信号の定位を、音像拡大関数ＹＬ（ｆ）を用いて基準定位であるｐａｎＣを基準とする連続的な線形写像によって移動させ、その一方で、ｐａｎＣよりｐａｎＲ側に定位する抽出信号の定位を、音像拡大関数ＹＲ（ｆ）を用いて基準定位であるｐａｎＣを基準とする連続的な線形写像によって移動させる。
【００８８】
なお、ｐａｎＣよりｐａｎＬ側に定位する抽出信号がｐａｎＬ側に移動する、又は、ｐａｎＣよりｐａｎＲ側に定位する抽出信号がｐａｎＲ側に移動する場合が拡大であり、抽出信号が基準定位ｐａｎＣ側に移動する場合が縮小である。つまり、音像拡大関数ＹＬ（ｆ）が取り出し領域の外側に位置する周波数領域では、ｐａｎＣよりｐａｎＬ側に定位する抽出信号によって形成される音像は拡大され、音像拡大関数ＹＬ（ｆ）が取り出し領域の内側に位置する周波数領域では、ｐａｎＣよりｐａｎＬ側に定位する抽出信号によって形成される音像は縮小される。同様に、音像拡大関数ＹＲ（ｆ）が取り出し領域の外側に位置する周波数領域では、ｐａｎＣよりｐａｎＲ側に定位する抽出信号によって形成される音像は拡大され、音像拡大関数ＹＲ（ｆ）が取り出し領域の内側に位置する周波数領域では、ｐａｎＣよりｐａｎＲ側に定位する抽出信号によって形成される音像は縮小される。
【００８９】
なお、図８に示す例では、音像拡大関数ＹＬ（ｆ）及び音像拡大関数ＹＲ（ｆ）をいずれも、周波数ｆの値に応じて直線を描く関数としているが、音像拡大関数ＹＬ（ｆ）及び音像拡大関数ＹＲ（ｆ）は、周波数ｆの値に応じて直線を描く関数に限らず、種々の形状を示す関数を適用できる。例えば、周波数ｆの範囲に応じて折れ線を描く関数、周波数ｆの値に応じて放物線（即ち、二次曲線）を描く関数、周波数ｆの値に応じた三次関数や、楕円や円の弧を表す関数や、指数又は対数関数などを適用できる。
【００９０】
この音像拡大関数ＹＬ（ｆ）及びＹＲ（ｆ）は、予め決められていても、ユーザにより設定されるものであってもよい。例えば、周波数領域や定位範囲に応じて、用いる音像拡大関数ＹＬ（ｆ）及びＹＲ（ｆ）が予め設定されており、取り出し領域の位置（周波数領域や定位範囲）に応じた音像拡大関数ＹＬ（ｆ）及びＹＲ（ｆ）が選定されるように構成されてもよい。
【００９１】
また、ユーザが、所望に応じて、取り出し領域を含む座標面における座標（即ち、周波数と定位との組）を２以上設定し、設定された周波数と定位との組に基づいて、音像拡大関数ＹＬ（ｆ）又はＹＲ（ｆ）が設定されるように構成してもよい。例えば、周波数ｆ＝Ｌｏｗにおける定位がＹＬ（Ｌｏｗ）である点と、周波数ｆ＝Ｈｉｇｈにおける定位がＹＬ（Ｈｉｇｈ）である点とをユーザが設定し、それにより、周波数ｆの変化に対して定位が直線的に変化する関数である音像拡大関数ＹＬ（ｆ）が設定され、一方で、周波数ｆ＝Ｌｏｗにおける定位がＹＲ（Ｌｏｗ）である点と、周波数ｆ＝Ｈｉｇｈにおける定位がＹＲ（Ｈｉｇｈ）である点とをユーザが設定し、それにより、周波数ｆの変化に対して定位が直線的に変化する関数である音像拡大関数ＹＲ（ｆ）が設定されてもよい。あるいは、音像拡大関数ＹＬ（ｆ）及び音像拡大関数ＹＲ（ｆ）の変化パターン（直線、放物線、弧など）を、各々ユーザが設定するように構成してもよい。なお、音像拡大関数ＹＬ（ｆ）又はＹＲ（ｆ）の周波数範囲は、図８に示すように、取り出し領域の周波数範囲を超えるものであってもよい。
【００９２】
音像拡大関数ＹＬ（ｆ）及び音像拡大関数ＹＲ（ｆ）が、周波数ｆの値に応じて直線を描く関数である場合には、これらの音像拡大関数ＹＬ（ｆ），ＹＲ（ｆ）を以下のようにして求めることができる。
【００９３】
まず、周波数ｆのＬｏｗ側の拡大具合を決める係数として、ＢｔｍＬ，ＢｔｍＲを仮定し、Ｈｉｇｈ側の拡大具合を決める係数として、ＴｏｐＬ，ＴｏｐＲを仮定する。なお、ＢｔｍＬ及びＴｏｐＬは、基準定位であるｐａｎＣより左方向（ｐａｎＬ方向）の拡大具合を決めるものであり、ＢｔｍＲ及びＴｏｐＲは、ｐａｎＣより右方向（ｐａｎＲ方向）の拡大具合を決めるものである。これらの４つの係数ＢｔｍＬ，ＢｔｍＲ，ＴｏｐＬ，ＴｏｐＲは、それぞれ、例えば、０．５〜１０．０程度の範囲とされる。なお、この係数が１．０を超える場合は拡大となり、０より大きく１．０より小さい場合には縮小となる。
【００９４】
ここで、直線である音像拡大関数ＹＬ（ｆ）における両端の座標、即ち、ＹＬ（Ｌｏｗ）及びＹＬ（Ｈｉｇｈ）の座標を求めると、ＹＬ（Ｌｏｗ）＝ｐａｎＣ＋（ｐａｎＬ−ｐａｎＣ）×ＢｔｍＬであり、ＹＬ（Ｈｉｇｈ）＝ｐａｎＣ＋（ｐａｎＬ−ｐａｎＣ）×ＴｏｐＬである。このとき、Ｗｌ＝ｐａｎＬ−ｐａｎＣとすれば、ＹＬ（ｆ）＝｛Ｗｌ×（ＴｏｐＬ−ＢｔｍＬ）／（Ｈｉｇｈ−Ｌｏｗ）｝×（ｆ−Ｌｏｗ）＋ｐａｎＣ＋Ｗｌ×ＢｔｍＬとなる。
【００９５】
同様に、音像拡大関数ＹＲ（ｆ）について、ＹＲ（Ｌｏｗ）＝ｐａｎＣ＋（ｐａｎＲ−ｐａｎＣ）×ＢｔｍＲであり、ＹＲ（Ｈｉｇｈ）＝ｐａｎＣ＋（ｐａｎＲ−ｐａｎＣ）×ＴｏｐＲであるので、Ｗｒ＝ｐａｎＲ−ｐａｎＣとすると、ＹＲ（ｆ）＝｛Ｗｒ×（ＴｏｐＲ−ＢｔｍＲ）／（Ｈｉｇｈ−Ｌｏｗ）｝×（ｆ−Ｌｏｗ）＋ｐａｎＣ＋Ｗｒ×ＢｔｍＲとなる。
【００９６】
かかる音像拡大関数ＹＬ（ｆ）用いて、基準定位ＰａｎＣより左方向に定位している抽出信号ＰｏＬ［ｆ］の移動を行う場合、その移動先の定位ＰｔＬ［ｆ］は、ｐａｎＣを基準とすると、ある周波数ｆにおける、ｐａｎＣからＰｏＬ［ｆ］までの長さと、ｐａｎＣからＰｔＬ［ｆ］までの長さの比が、ｐａｎＣからｐａｎＬまでの長さと、ｐａｎＣからＹＬ（ｆ）までの長さの比に等しいことに基づいて算出することができる。即ち、移動先の定位ＰｔＬ［ｆ］は、（ＰｔＬ［ｆ］−ｐａｎＣ）：（ＰｏＬ［ｆ］−ｐａｎＣ）＝（ＹＬ（ｆ）−ｐａｎＣ）：（ｐａｎＬ−ｐａｎＣ）であることから、ＰｔＬ［ｆ］＝（ＰｏＬ［ｆ］−ｐａｎＣ）×（ＹＬ（ｆ）−ｐａｎＣ）／（ｐａｎＬ−ｐａｎＣ）＋ｐａｎＣにより算出できる。
【００９７】
同様に、音像拡大関数ＹＲ（ｆ）用いて、基準定位ＰａｎＣより右方向に定位している抽出信号ＰｏＲ［ｆ］の移動を行う場合、その移動先の定位ＰｔＲ［ｆ］は、（ＰｔＲ［ｆ］−ｐａｎＣ）：（ＰｏＲ［ｆ］−ｐａｎＣ）＝（ＹＲ（ｆ）−ｐａｎＣ）：（ｐａｎＲ−ｐａｎＣ）であることから、ＰｔＲ［ｆ］＝（ＰｏＲ［ｆ］−ｐａｎＣ）×（ＹＲ（ｆ）−ｐａｎＣ）／（ｐａｎＲ−ｐａｎＣ）＋ｐａｎＣにより算出できる。
【００９８】
音像拡大縮小処理では、移動先とする定位ＰｔＬ［ｆ］及び定位ＰｔＲ［ｆ］を目標とする定位とすることにより、定位を移動させるための係数ｌｌ，ｌｒ，ｒｌ，ｒｒや、係数ｌｌ´，ｌｒ´，ｒｌ´，ｒｒ´を決定し、それにより、抽出信号の定位を移動させる。その結果、取り出し領域の音像が拡大又は縮小される。
【００９９】
つまり、本実施形態では、取り出し領域内の抽出信号のうち、ｐａｎＣよりｐａｎＬ側に定位する抽出信号の定位を、音像拡大関数ＹＬ（ｆ）を用いて基準定位であるｐａｎＣを基準とする連続的な線形写像によって移動させ、その一方で、ｐａｎＣよりｐａｎＲ側に定位する抽出信号の定位を、音像拡大関数ＹＲ（ｆ）を用いて基準定位であるｐａｎＣを基準とする連続的な線形写像によって移動させることにより、取り出し領域の音像が拡大又は縮小される。
【０１００】
なお、図８では、一例として、１の取り出し領域に対し音像拡大関数ＹＬ（ｆ）及びＹＲ（ｆ）が設定されている様子を図示しているが、音像拡大関数ＹＬ（ｆ）及びＹＲ（ｆ）は、取り出し領域毎に各々設定されていていてもよい。
【０１０１】
例えば、高音域を周波数範囲とする取り出し領域と、中音域を周波数範囲とする取り出し領域と、低音域を周波数範囲とする取り出し領域とで、各々異なる音像拡大関数ＹＬ（ｆ）及びＹＲ（ｆ）を設定してもよい。なお、ステレオ信号の音像を全体的に拡大する場合において、高音域の全定位の範囲に対しては、周波数が高くなるにつれて拡大具合が小さくなるように音像拡大関数ＹＬ（ｆ）及びＹＲ（ｆ）を設定し、中音域の全定位の範囲に対しては、周波数が高くなるにつれて拡大具合が大きくなるように音像拡大関数ＹＬ（ｆ）及びＹＲ（ｆ）を設定すると、好ましい聴感を与えることができる。一方、低音域の信号抽出は行わず、音像の拡大（又は縮小）を行わないようにしてもよい。
【０１０２】
なお、複数の取り出し領域が存在する場合には、音像の拡大又は縮小を行う領域、即ち、基準定位、音像拡大関数ＹＬ（ｆ）、及び音像拡大関数ＹＲ（ｆ）の設定を行う領域は、全ての取り出し領域でなく、一部の取り出し領域に限定されていてもよい。
【０１０３】
また、全ての取り出し領域に対して共通のＢｔｍＬ，ＢｔｍＲ，ＴｏｐＬ，ＴｏｐＲを設定することにより、全ての取り出し領域の拡大（又は縮小）具合が同じになるような音像拡大関数ＹＬ（ｆ）及びＹＲ（ｆ）を設定してもよい。
【０１０４】
また、ＢｔｍＬ，ＢｔｍＲ，ＴｏｐＬ，ＴｏｐＲを、抽出する領域の位置及び／又は該領域の大きさの関数として設定してもよい。即ち、抽出領域に応じて、所定の規則に基づいて、拡大具合（又は縮小具合）が変化するようにしてもよい。例えば、周波数が大きくなるにつれ、拡大具合が大きくなるようにしたり、抽出信号の定位が基準定位（例えば、中央であるｐａｎＣ）から離れるにつれて拡大具合が小さくなる、等のようにＢｔｍＬ，ＢｔｍＲ，ＴｏｐＬ，ＴｏｐＲを設定してもよい。
【０１０５】
また、基準定位、音像拡大関数ＹＬ（ｆ）、及び音像拡大関数ＹＲ（ｆ）を、全ての取り出し領域に対して共通して設定してもよい。つまり、全ての取り出し領域内の抽出信号が、同じ基準定位を基準として、同じ音像拡大関数ＹＬ（ｆ）及びＹＲ（ｆ）により線形写像させるようにしてもよい。なお、かかる場合には、楽音全体を１つの取り出し領域として選択することにより、楽音全体の音像を１の条件（即ち、共有に設定された基準定位、及び、音像拡大関数ＹＬ（ｆ），ＹＲ（ｆ））で拡大又は縮小するようにしてもよい。
【０１０６】
また、本実施形態では、取り出し領域における定位の範囲（図８におけるｐａｎＬ≦定位ｗ［ｆ］≦ｐａｎＲの範囲）の中心、即ち、ｐａｎＣを基準定位としたが、基準定位は取り出し領域内又は取り出し領域外のいずれの定位にも設定可能である。複数の取り出し領域がある場合、取り出し領域毎に異なる基準定位を設定してもよいし、全取り出し領域に対して共通の基準定位を設定してもよい。なお、この基準定位は、取り出し領域毎に、又は、全取り出し領域に対し、予め設定されていても、ユーザがその都度設定するものであってもよい。
【０１０７】
次に、図９を参照して、本実施形態のエフェクタ１が行う音像拡大縮小処理について説明する。図９は、第２実施形態の第１信号処理Ｓ１１０および第２信号処理Ｓ２１０で行われる処理の詳細を示した図である。
【０１０８】
第２実施形態の第１信号処理（Ｓ１１０）では、図９に示すように、第１取り出し処理（Ｓ１００）により第１条件を満たす楽音信号を抽出信号として抽出した後、抽出信号から形成される音像の拡大又は縮小を行うために、メインスピーカから出力される分の抽出信号の定位の移動量を算出する処理を実行する（Ｓ１１７）。同様に、第１取り出し処理（Ｓ１００）により抽出された抽出信号から形成される音像の拡大又は縮小を行うために、サブスピーカから出力される分の抽出信号の定位の移動量を算出する処理を実行する（Ｓ１１８）。
【０１０９】
Ｓ１１７の処理では、第１取り出し処理（Ｓ１００）による取り出し領域（即ち、第１条件により決まる領域）内において、基準定位より左方向にある抽出信号を音像拡大関数ＹＬ１［１］（ｆ）によって移動させたときの移動量ＭＬ１［１］［ｆ］と、基準定位より右方向にある抽出信号を音像拡大関数ＹＲ１［１］（ｆ）によって移動させたときの移動量ＭＲ１［１］［ｆ］とを算出する。
【０１１０】
なお、音像拡大関数ＹＬ１［１］（ｆ）及び音像拡大関数ＹＲ１［１］（ｆ）は、いずれも、メインスピーカから出力される分の抽出信号の定位を移動させるための音像拡大関数であり、それぞれ、基準定位より左方向の抽出信号を移動させるための関数及び基準定位より右方向の抽出信号を移動させるための関数である。
【０１１１】
具体的に、Ｓ１１７の処理では、「｛（ｗ［ｆ］−ｐａｎＣ［１］）×（ＹＬ１［１］（ｆ）−ｐａｎＣ［１］）／（ｐａｎＬ［１］−ｐａｎＣ［１］）＋ｐａｎＣ［１］｝−ｗ［ｆ］」を、Ｓ１２及びＳ２２においてフーリエ変換された全ての周波数に対して行うことにより、移動量ＭＬ１［１］［ｆ］を算出する。同様に、「｛（ｗ［ｆ］−ｐａｎＣ［１］）×（ＹＲ１［１］（ｆ）−ｐａｎＣ［１］）／（ｐａｎＲ［１］−ｐａｎＣ［１］）＋ｐａｎＣ［１］｝−ｗ［ｆ］」を、Ｓ１２及びＳ２２においてフーリエ変換された全ての周波数に対して行うことにより、移動量ＭＲ１［１］［ｆ］を算出する。なお、ｐａｎＬ［１］及びｐａｎＲ［１］は、第１取り出し処理（Ｓ１００）による取り出し領域における左右境界の定位であり、ｐａｎＣ［１］は、第１取り出し処理（Ｓ１００）による取り出し領域における基準定位、例えば、該取り出し領域における定位の範囲の中心である。
【０１１２】
Ｓ１１７の処理後、移動量ＭＬ１［１］［ｆ］及び移動量ＭＲ１［１］［ｆ］を用いて、第１取り出し処理（Ｓ１００）によって取り出された抽出信号によって形成される定位（メインスピーカから出力される分）の調整を行う（Ｓ１１１）。具体的に、Ｓ１１１の処理では、移動量ＭＬ１［１］［ｆ］及び移動量ＭＲ１［１］［ｆ］は、目標とする定位（即ち、拡大又は縮小による移動先の定位）から抽出信号の定位ｗ［ｆ］を引いた差であるので、移動量ＭＬ１［１］［ｆ］及び移動量ＭＲ１［１］［ｆ］を用いて、定位を移動させるための係数ｌｌ，ｌｒ，ｒｌ，ｒｒの決定を行い、決定された係数ｌｌ，ｌｒ，ｒｌ，ｒｒを用いて、第１実施形態におけるＳ１１１と同様に定位の調整を行い、１Ｌ信号及び１Ｒ信号を得る。なお、調整された定位が０未満であれば、その定位を０とし、その一方で、調整された定位が１を超える場合には、その定位を１とする。Ｓ１１７の処理による移動量ＭＬ１［１］［ｆ］，ＭＲ１［１］［ｆ］の算出と、Ｓ１１１の処理による定位の調整とが、音像拡大縮小処理に相当する。
【０１１３】
その後、１Ｌ［ｆ］信号は、Ｓ１１２において加工処理に供されて１Ｌ＿１［ｆ］信号とされ、１Ｒ［ｆ］信号は、Ｓ１１３において加工処理に供されて１Ｒ＿１［ｆ］信号とされる。
【０１１４】
一方、サブスピーカから出力される分の抽出信号の定位の移動量を算出するＳ１１８の処理では、第１取り出し処理（Ｓ１００）による取り出し領域内において、基準定位より左方向にある抽出信号を音像拡大関数ＹＬ２［１］（ｆ）によって移動させたときの移動量ＭＬ２［１］［ｆ］と、基準定位より右方向にある抽出信号を音像拡大関数ＹＲ２［１］（ｆ）によって移動させたときの移動量ＭＲ２［１］［ｆ］とを算出する。
【０１１５】
なお、音像拡大関数ＹＬ２［１］（ｆ）及び音像拡大関数ＹＲ２［１］（ｆ）は、いずれも、サブスピーカから出力される分の抽出信号の定位を移動させるための音像拡大関数であり、それぞれ、基準定位より左方向の抽出信号を移動させるための関数及び基準定位より右方向の抽出信号を移動させるための関数である。音像拡大関数ＹＬ２［１］（ｆ）は、メインスピーカから出力される分の抽出信号の定位を移動させるために使用する音像拡大関数ＹＬ１［１］（ｆ）と同じであっても異なっていてもよい。同様に、音像拡大関数ＹＲ２［１］（ｆ）は、メインスピーカから出力される分の抽出信号の定位を移動させるために使用する音像拡大関数ＹＲ１［１］（ｆ）と同じであっても異なっていてもよい。
【０１１６】
例えば、メインスピーカとサブスピーカとを等間隔に配置させる場合には、ＹＬ１［１］（ｆ）とＹＬ２［１］（ｆ）とを同じにすると共に、ＹＲ１［１］（ｆ）とＹＲ２［１］（ｆ）とを同じとする。また、メインスピーカとサブスピーカとが極端に離れている場合には、移動量ＭＬ２［１］［ｆ］及び移動量ＭＲ２［１］［ｆ］が、移動量ＭＬ１［１］［ｆ］及び移動量ＭＲ１［１］［ｆ］より小さくなるような音像拡大関数ＹＬ２［１］（ｆ）及びＹＲ２［１］（ｆ）を用いる。
【０１１７】
具体的に、Ｓ１１８の処理では、「｛（ｗ［ｆ］−ｐａｎＣ［１］）×（ＹＬ２［１］（ｆ）−ｐａｎＣ［１］）／（ｐａｎＬ［１］−ｐａｎＣ［１］）＋ｐａｎＣ［１］｝−ｗ［ｆ］」を、Ｓ１２及びＳ２２においてフーリエ変換された全ての周波数に対して行うことにより、移動量ＭＬ２［１］［ｆ］を算出する。同様に、「｛（ｗ［ｆ］−ｐａｎＣ［１］）×（ＹＲ２［１］（ｆ）−ｐａｎＣ［１］）／（ｐａｎＲ［１］−ｐａｎＣ［１］）＋ｐａｎＣ［１］｝−ｗ［ｆ］」を、Ｓ１２及びＳ２２においてフーリエ変換された全ての周波数に対して行うことにより、移動量ＭＲ２［１］［ｆ］を算出する。これらの移動量ＭＬ２［１］［ｆ］及びＭＲ２［１］［ｆ］は、目標とする定位（即ち、拡大又は縮小による移動先の定位）から抽出信号の定位ｗ［ｆ］を引いた差に相当する。
【０１１８】
Ｓ１１８の処理後、移動量ＭＬ２［１］［ｆ］及び移動量ＭＲ２［１］［ｆ］を用いて、第１取り出し処理（Ｓ１００）によって取り出された抽出信号によって形成される定位（サブスピーカから出力される分）の調整を行う（Ｓ１１４）。具体的に、Ｓ１１４の処理では、移動量ＭＬ２［１］［ｆ］及び移動量ＭＲ２［１］［ｆ］を用いて、定位を移動させるための係数ｌｌ´，ｌｒ´，ｒｌ´，ｒｒ´の決定を行い、決定された係数ｌｌ´，ｌｒ´，ｒｌ´，ｒｒ´を用いて、第１実施形態におけるＳ１１４と同様に定位の調整を行い、２Ｌ信号及び２Ｒ信号を得る。なお、調整された定位が０未満であれば、その定位を０とし、その一方で、調整された定位が１を超える場合には、その定位を１とする。また、Ｓ１１８の処理による移動量ＭＬ２［１］［ｆ］，ＭＲ２［１］［ｆ］の算出と、Ｓ１１４の処理による定位の調整とが、音像拡大縮小処理に相当する。
【０１１９】
その後、２Ｌ［ｆ］信号は、Ｓ１１５において加工処理に供されて２Ｌ＿１［ｆ］信号とされ、２Ｒ［ｆ］信号は、Ｓ１１６において加工処理に供されて２Ｒ＿１［ｆ］信号とされる。
【０１２０】
また、図９に示すように、第２実施形態の第２信号処理（Ｓ２１０）では、第２取り出し処理（Ｓ２００）により第２条件を満たす楽音信号を抽出信号として抽出した後、抽出信号から形成される音像の拡大又は縮小を行うために、メインスピーカから出力される分の定位の移動量ＭＬ１［２］［ｆ］とを算出する処理を実行する（Ｓ２１７）。同様に、第２取り出し処理（Ｓ２００）により抽出された抽出信号から形成される音像の拡大又は縮小を行うために、サブスピーカから出力される分の定位の移動量ＭＲ２［１］［ｆ］とを算出する処理を実行する（Ｓ２１８）。
【０１２１】
ここで、Ｓ２１７の処理では、以下に説明する点が異なること以外は、第１信号処理（Ｓ１１０）の中で実行されるＳ１１７の処理と同様に行われるので、その説明は省略する。Ｓ２１７の処理とＳ１１７の処理との相違点は、メインスピーカから出力される分の定位を移動させるための音像拡大関数として、基準定位より左方向の抽出信号を移動させるための関数であるＹＬ１［２］（ｆ）と、
基準定位より右方向の抽出信号を移動させるための関数であるＹＲ１［２］（ｆ）とを用いる点と、ｐａｎＬ［１］及びｐａｎＲ［１］に換えて、第２取り出し処理（Ｓ２００）による取り出し領域における左右境界の定位、即ち、ｐａｎＬ［２］及びｐａｎＲ［２］を用いる点と、基準定位として、ｐａｎＣ［１］に換えて、第２取り出し処理（Ｓ２００）による取り出し領域内の定位（例えば、該取り出し領域における定位の範囲の中心）であるｐａｎＣ［２］を用いる点である。
【０１２２】
また、Ｓ２１８の処理では、以下に説明する点が異なること以外は、第１信号処理（Ｓ１１０）の中で実行されるＳ１１８の処理と同様に行われるので、その説明は省略する。Ｓ２１８の処理とＳ１１８の処理との相違点は、サブスピーカから出力される分の定位を移動させるための音像拡大関数として、基準定位より左方向の抽出信号を移動させるための関数であるＹＬ２［２］（ｆ）と、
基準定位より右方向の抽出信号を移動させるための関数であるＹＬ２［２］（ｆ）とを用いる点と、ｐａｎＬ［１］及びｐａｎＲ［１］に換えて、ｐａｎＬ［２］及びｐａｎＲ［２］を用いる点と、基準定位として、ｐａｎＣ［１］に換えて、ｐａｎＣ［２］を用いる点である。
【０１２３】
そして、Ｓ２１７の処理後は、算出した移動量ＭＬ１［２］［ｆ］及び移動量ＭＲ１［２］［ｆ］を用いて、係数ｌｌ，ｌｒ，ｒｌ，ｒｒを決定し、それによって、第２取り出し処理（Ｓ２００）によって取り出された抽出信号によって形成される定位（メインスピーカから出力される分）の調整を行う（Ｓ２１１）。Ｓ２１１の処理において、調整された定位が０（ゼロ）未満であれば、その定位を０（ゼロ）とし、その一方で、調整された定位が１を超える場合には、その定位を１とする。なお、Ｓ２１７の処理による移動量ＭＬ１［２］［ｆ］，ＭＲ１［２］［ｆ］の算出と、Ｓ２１１の処理による定位の調整とが、音像拡大縮小処理に相当する。その後、Ｓ２１１の処理により得られた１Ｌ［ｆ］信号及び１Ｒ［ｆ］信号を、それぞれ、Ｓ２１２の加工処理及びＳ２１３の加工処理に供し、それによって、１Ｌ＿２［ｆ］信号及び１Ｒ＿２［ｆ］信号を得る。
【０１２４】
一方、Ｓ２１８の処理後は、算出した移動量ＭＬ２［２］［ｆ］及び移動量ＭＲ２［２］［ｆ］を用いて、係数ｌｌ´，ｌｒ´，ｒｌ´，ｒｒ´を決定し、それによって、第２取り出し処理（Ｓ２００）によって取り出された抽出信号によって形成される定位（サブスピーカから出力される分）の調整を行う（Ｓ２１４）。Ｓ２１４の処理において、調整された定位が０未満であれば、その定位を０とし、その一方で、調整された定位が１を超える場合には、その定位を１とする。なお、Ｓ２１８の処理による移動量ＭＬ２［２］［ｆ］，ＭＲ２［２］［ｆ］の算出と、Ｓ２１４の処理による定位の調整とが、音像拡大縮小処理に相当する。その後、Ｓ２１４の処理により得られた２Ｌ［ｆ］信号及び２Ｒ［ｆ］信号を、それぞれ、Ｓ２１５の加工処理及びＳ２１６の加工処理に供し、それによって、２Ｌ＿２［ｆ］信号及び２Ｒ＿２［ｆ］信号を得る。
【０１２５】
上述した通り、第２実施形態のエフェクタ１では、第１取り出し処理（Ｓ１００）あるいは第２取り出し処理（Ｓ２００）によって取り出し領域内から抽出された抽出信号に対し、基準定位と、定位の範囲の一端側である左方向の境界の拡大具合（拡大度）を規定する音像拡大関数ＹＬ（ｆ）と、該定位の範囲の他端側である右方向の境界の拡大具合を規定する音像拡大関数ＹＲ（ｆ）とを設定し、基準定位より左方向にある抽出信号を、該基準定位を基準として、音像拡大関数ＹＬ（ｆ）によって線形写像することにより移動させると共に、基準定位より右方向にある抽出信号を、該基準定位を基準として、音像拡大関数ＹＲ（ｆ）によって線形写像することにより移動させることにより、取り出し領域内に形成される音像を拡大又は縮小することができる。よって、本実施形態のエフェクタ１によれば、ステレオ音源が示す各音像を自在に拡大又は縮小することができる。
【０１２６】
次に、図１０及び図１１を参照して、第３実施形態について説明する。なお、この第３実施形態において、上述した第２実施形態と同一の部分には、同一の符号を付して、その説明を省略する。
【０１２７】
上述した第２実施形態では、左右チャンネルの楽音信号（即ち、ステレオ信号）から設定条件に応じて抽出した抽出信号の音像を拡大又は縮小することについて説明したが、この第３実施形態では、１チャンネルの楽音信号（即ち、モノラル信号）から設定条件に応じて抽出した抽出信号から形成される音像を拡大又は縮小することについて説明する。
【０１２８】
具体的に、モノラル信号は、定位が中央（ｐａｎＣ）に位置してしまうので、本実施形態では、音像拡大縮小処理を実行する前に、準備処理として、モノラル信号であるが故に中央（ｐａｎＣ）に定位する抽出信号を、取り出し領域における定位の左方向の境界（ｐａｎＬ）または右方向の境界（ｐａｎＲ）のいずれかに分配する（振り分ける）処理を行う。
【０１２９】
図１０は、第３実施形態における音像拡大縮小処理の概要を説明するための模式図である。図１０において、黒く塗り潰された１０個の箱Ｐｏは、各々、１の周波数範囲にあるモノラル信号からの１または複数の抽出信号を示す。なお、図１０では、各箱Ｐｏの区別を付ける目的で、各箱Ｐｏの間には間隔（空白）を設けているが、実際には、各箱Ｐｏは隙間なく連続する（即ち、各箱Ｐｏの周波数範囲は連続する）。
【０１３０】
図１０に示すように、本実施形態では、準備処理として、モノラル信号からの抽出信号を表す箱Ｐｏが、周波数領域が隣接する箱Ｐｏの分配先が、それぞれ、各取り出し領域Ｏ１，Ｏ２における定位の左方向の境界（ｐａｎＬ）と右方向の境界（ｐａｎＲ）とで交互になるように分配される。即ち、箱ＰｏＬまたは箱ＰｏＲに移動される。
【０１３１】
その後、上述した第２実施形態と同様に、取り出し領域内の抽出信号のうち、ｐａｎＣよりｐａｎＬ側に定位する抽出信号（即ち、箱ＰｏＬに含まれる抽出信号）を、各取り出し領域Ｏ１，Ｏ２に対して設けた音像拡大関数ＹＬ［１］（ｆ），ＹＬ［２］（ｆ）を左方向の定位の境界とする領域に線形写像することにより移動する。その一方で、ｐａｎＣよりｐａｎＲ側に定位する抽出信号（即ち、箱ＰｏＲに含まれる抽出信号）を、各取り出し領域Ｏ１，Ｏ２に対して設けた音像拡大関数ＹＲ［１］（ｆ），ＹＲ［２］（ｆ）を左方向の定位の境界とする領域に線形写像することにより移動する。
【０１３２】
その結果、第１の取り出し領域Ｏ１（ｆ１≦周波数ｆ≦ｆ２）内にあるモノラル信号からの抽出信号（即ち、箱Ｐｏに含まれる抽出信号）は、周波数範囲毎に交互に、音像拡大関数ＹＬ［１］（ｆ）又は音像拡大関数ＹＲ［１］（ｆ）上における各周波数に応じた定位、即ち、箱ＰｔＬまたは箱ＰｔＲに移動される。同様に、第２の取り出し領域Ｏ２（ｆ２≦周波数ｆ≦ｆ３）内にある箱Ｐｏは、周波数範囲毎に交互に、音像拡大関数ＹＬ［２］（ｆ）又は音像拡大関数ＹＲ［２］（ｆ）上における各周波数に応じた定位（箱ＰｔＬまたは箱ＰｔＲ）に移動される。
【０１３３】
このように、モノラルの楽音信号の定位を、一旦、予め規定された連続する周波数範囲毎に交互にｐａｎＬ又はｐａｎＲに分配した（振り分けた）後に、第２実施形態と同様に音像の拡大又は縮小を行うことにより、モノラル信号（モノラル音源）に、バランスのよい拡がり感を持たせることができる。
【０１３４】
第１取り出し領域Ｏ１が中音域を周波数範囲とする領域であり、第２取り出し領域Ｏ２が高音域を周波数範囲とする領域である場合には、図１０に示した例と同様に、第１取り出し領域Ｏ１に対する音像拡大関数ＹＬ［１］（ｆ）及び音像拡大関数ＹＲ［１］（ｆ）を、高周波数側で定位が拡がるような拡大具合を表す関数とし、第２取り出し領域Ｏ２に対する音像拡大関数ＹＬ［２］（ｆ）及び音像拡大関数ＹＲ［２］（ｆ）を、高周波数側で定位が狭まるような拡大具合を表す関数とすることにより、好ましい聴感を与えることができる。
【０１３５】
なお、図１０において、第１取り出し領域Ｏ１の定位の範囲と、第２取り出し領域Ｏ２の定位の範囲は等しい場合を例示したが、各取り出し領域Ｏ１，Ｏ２の定位の範囲は異なっていてもよい。
【０１３６】
次に、図１１を参照して、第３実施形態の音像拡大縮小処理について説明する。図１１は、第３実施形態のエフェクタで実行される主要な処理を示した図である。なお、本実施形態のエフェクタは、Ｌｃｈ用Ａ／Ｄコンバータ１１Ｌ及びＲｃｈ用Ａ／Ｄコンバータ１１Ｒに換えて、ＩＮ＿ＭＯＮＯ端子から入力されたモノラル楽音信号をアナログ信号からデジタル信号に変換するＡ／Ｄコンバータを有している点で、第２実施形態で使用したエフェクタ１（図１参照）と相違する。
【０１３７】
本実施形態では、モノラル信号を入力信号とするので、第２実施形態のエフェクタ１において、左チャンネル信号及び右チャンネル信号に対しそれぞれ行っていた処理は、モノラル信号に対して実行される。即ち、本実施形態のエフェクタは、図１１に示すように、ＩＮ＿ＭＯＮＯ端子から入力した時間領域のＩＮ＿ＭＯＮＯ［ｔ］信号を、Ｓ１０又はＳ２０と同様の解析処理部Ｓ５０により、周波数領域のＩＮ＿ＭＯＮＯ［ｆ］信号に変換し、メイン処理部Ｓ３０に供給する。
【０１３８】
モノラル信号の状態では、各信号の定位ｗ［ｆ］は、全て、０．５（中央）、即ち、ｐａｎＣとなるので、上述した第２実施形態のメイン処理部Ｓ３０において実行したＳ３１の処理は省略することができる。よって、本実施形態におけるメイン処理部Ｓ３０では、まず、メモリのクリアを実行した後（Ｓ３２）、第１取り出し処理（Ｓ１００）及び第２取り出し処理（Ｓ２００）を実行し、予め設定された条件毎に信号の抽出を行うと共に、指定以外の信号の取り出しを行う（Ｓ３００）。
【０１３９】
なお、各モノラル信号の定位ｗ［ｆ］は中央（ｐａｎＣ）であるので、本実施形態のＳ１００，Ｓ２００では、各信号の定位ｗ［ｆ］が第１又は第２設定範囲内にあるか否かを判定しなくてもよい。また、第２実施形態のＳ１００，Ｓ２００では、信号の抽出を行うために、最大レベルＭＬ［ｆ］を用いたが、本実施形態では、ＩＮ＿ＭＯＮＯ［ｆ］信号のレベルを用いる。また、上述した通り、本実施形態では、モノラル信号であるという理由で定位ｗ［ｆ］を求める処理（即ち、第２実施形態におけるＳ３１の処理）を省略する構成としたが、モノラル信号の場合であっても、Ｓ３１の処理、即ち、ＩＮ＿ＭＯＮＯ［ｆ］信号に対して行ったフーリエ変換により得られた各周波数毎に定位ｗ［ｆ］を求める処理を実行してもよい。
【０１４０】
第１取り出し処理（Ｓ１００）の実行後、モノラルの抽出信号の定位を左右に分配（振り分ける）ことによって擬似ステレオ信号を生成する準備処理を実行する（Ｓ１２０）。この準備処理（Ｓ１２０）では、まず、抽出した信号の周波数ｆが、予め規定された連続する周波数範囲のうち、奇数番目の周波数範囲内にあるか否かを判定する（Ｓ１２１）。予め規定された連続する周波数範囲は、例えば、全周波数範囲を、セント単位（例えば、５０セント単位や、１００セント（半音階）単位）、又は、周波数単位（例えば、１００Ｈｚ単位）で分割した範囲である。
【０１４１】
Ｓ１２１の処理により、抽出した信号の周波数ｆが、奇数番目の周波数範囲内にあれば（Ｓ１２１：Ｙｅｓ）、定位ｗ［ｆ］［１］を、ｐａｎＬ［１］とする（Ｓ１２２）。一方、抽出した信号の周波数ｆが、偶数番目の周波数範囲内にあれば（Ｓ１２１：Ｎｏ）、定位ｗ［ｆ］［１］を、ｐａｎＲ［１］とする（Ｓ１２３）。Ｓ１２２またはＳ１２３の処理後、フーリエ変換された全ての周波数について、Ｓ１２１の処理が完了したか否かが判定され（Ｓ１２４）、Ｓ１２４の判定が否定される場合には（Ｓ１２４：Ｎｏ）、Ｓ１２１の処理に戻る一方、Ｓ１２４の判定が肯定される場合には（Ｓ１２４：Ｙｅｓ）、第１信号処理１１０へ移行する。
【０１４２】
よって、かかる準備処理（Ｓ１２０）によれば、第１条件を満たす抽出信号の定位は、予め規定された連続する周波数範囲毎に、定位に対して設定された第１設定範囲の左右境界の定位（ｐａｎＬ［１］，ｐａｎＲ［１］）となるよう交互に分配される。
【０１４３】
その後、第２実施形態と同様に、Ｓ１１７の処理とＳ１１１の処理とを実行することにより、左右のメインスピーカから出力される分の抽出信号の定位を移動させる一方で、１１８の処理とＳ１１４の処理とを実行することにより、左右のサブスピーカから出力される分の抽出信号の定位を移動させる。本実施形態では、準備処理（Ｓ１２０）と、Ｓ１１７及びＳ１１１の処理又はＳ１１８及びＳ１１４の処理とが、音像拡大縮小処理に相当する。
【０１４４】
一方、第２取り出し処理（Ｓ２００）の実行後には、第２取り出し処理（Ｓ２００）により抽出された抽出信号に対する準備処理を実行する（Ｓ２２０）。この準備処理（Ｓ２２０）については、処理対象が第２取り出し処理（Ｓ２００）により抽出された抽出信号であること以外は、上述した準備処理（Ｓ１１０）と同様に行われるので、その説明は省略する。かかる準備処理（Ｓ２２０）により、第２条件を満たす抽出信号の定位は、予め規定された連続する周波数範囲毎に、定位に対して設定された第２設定範囲の左右境界の定位（ｐａｎＬ［２］，ｐａｎＲ［２］）となるよう交互に分配される。
【０１４５】
その後、第２実施形態と同様に、Ｓ２１７の処理とＳ２１１の処理とを実行することにより、左右のメインスピーカから出力される分の抽出信号の定位を移動させる一方で、２１８の処理とＳ２１４の処理とを実行することにより、左右のサブスピーカから出力される分の抽出信号の定位を移動させる。本実施形態では、準備処理（Ｓ２２０）と、Ｓ２１７及びＳ２１１の処理又はＳ２１８及びＳ２１４の処理とが、音像拡大縮小処理に相当する。
【０１４６】
上述した通り、第３実施形態では、モノラルの楽音信号を、一旦、予め規定された連続する周波数範囲毎に交互に分配した後に、音像の拡大又は縮小を行うことにより、モノラル信号に好適な拡がり感を持たせることができる。
【０１４７】
以上、各実施形態に基づき本発明を説明したが、本発明は上記形態に何ら限定されるものではなく、本発明の趣旨を逸脱しない範囲内で種々の変形改良が可能であることは容易に推察できるものである。
【０１４８】
上記第１及び第２実施形態では、第１取り出し処理（Ｓ１００）および第２取り出し処理（Ｓ２００）における抽出信号の抽出に、周波数、定位および最大レベルが一組となった条件を使用したが、これに限られるものではない。即ち、抽出信号を抽出する条件として、周波数だけ、定位だけ、または、最大レベルだけを用いても良い。或いは、これらを適宜組み合わせても良い（例えば、周波数と定位とを組み合わせても良い）。
【０１４９】
例えば、抽出信号を抽出する条件として、周波数だけを使用する場合には、第１取り出し処理（Ｓ１００）内のＳ１０１の判定内容を、「周波数［ｆ］が、予め設定された第１周波数範囲内であるか否か」へ変更すればよい。また、例えば、抽出信号を抽出する条件として、定位だけを使用する場合には、第１取り出し処理（Ｓ１００）内のＳ１０１の判定内容を、「定位ｗ［ｆ］が、予め設定された第１設定範囲内であるか否か」へ変更すれば良い。また、例えば、抽出信号を抽出する条件として、最大レベルだけを使用する場合には、第１取り出し処理（Ｓ１００）内のＳ１０１の判定内容を、「最大レベルＭＬ［ｆ］が、予め設定された第１設定範囲内であるか否か」へ変更すれば良い。ここで、Ｓ１０１の判定内容変更に伴い、第２取り出し処理（Ｓ２００）内のＳ２０１の判定内容を変更する場合には、Ｓ１０１の判定内容の変更と同様の変更を行えば良い。
【０１５０】
なお、上記第１及び第２実施形態では、抽出信号を抽出する条件として、周波数、定位および最大レベルが一組となった条件を使用しているので、条件外に中心周波数を持つノイズや、条件を超えたレベルを持つノイズ、或いは、条件を下回ったレベルを持つノイズから受ける影響を抑制することができる。これにより、抽出信号を正確に抽出することができる。
【０１５１】
上記第１及び第２実施形態のＳ１０１，Ｓ２０１では、周波数ｆ、定位ｗ［ｆ］、および最大レベルＭＬ［ｆ］がそれぞれ予め設定された範囲内であるか否かを判定したが、周波数ｆ、定位ｗ［ｆ］、および最大レベルＭＬ［ｆ］のうち少なくとも２つを変数とする任意の関数を用い、その関数により得られる値が設定された範囲内であるか否かを判定するようにしてもよい。これにより、より複雑な範囲を設定することができる。
【０１５２】
上記各実施形態で実行される各加工処理（Ｓ１１２，Ｓ１１３，Ｓ１１５，Ｓ１１６，Ｓ２１２，Ｓ２１３，Ｓ２１５，Ｓ２１６，Ｓ３１２，Ｓ３１３，Ｓ３１５，Ｓ３１６）では、ピッチ変更、レベル変更、リバーブ付与が行われたが、これらの変更やリバーブ付与を、全ての加工処理で同一の内容に設定しても良いし、各加工処理の内容が異なっていてもよい。例えば、第１信号処理における加工処理（Ｓ１１２，Ｓ１１３，Ｓ１１５，Ｓ１１６）と、第２信号処理における加工処理（Ｓ２１２，Ｓ２１３，Ｓ２１５，Ｓ２１６）と、指定外信号処理における加工処理（Ｓ３１２，Ｓ３１３，Ｓ３１５，Ｓ３１６）とで、それぞれ異なる内容に設定しても良い。なお、第１信号処理、第２信号処理、及び指定外信号処理における各加工処理の内容が異なる場合には、各条件毎に抽出された各抽出信号に対して、異なる信号処理を施すことができる。
【０１５３】
上記第１及び第２実施形態では、左右２チャンネルの楽音信号を、信号処理を施す対象としてエフェクタ１に入力する構成としたが、左右に限らず、上下又は前後、あるいは任意の２方向に定位する２チャンネルの楽音信号を、信号処理を施す対象としてエフェクタ１に入力する構成であってもよい。また、エフェクタ１に入力する楽音信号を、３チャンネル以上の楽音信号としてもよい。エフェクタ１に３チャンネル以上の楽音信号を入力する場合には、各チャンネルの定位に応じた定位ｗ［ｆ］（定位情報）を算出し、算出された各定位ｗ［ｆ］が設定範囲に収まるか否かを判定すればよい。例えば、左右の定位ｗ［ｆ］に加えて、上下及び／又は前後の定位を算出し、算出された左右の定位ｗ［ｆ］と上下及び／又は前後の定位が設定範囲に収まるか否かを判定する。左右前後４チャンネルの楽音信号を例にすると、それぞれ対となる２組の楽音信号（左右、前後）の定位を算出し、算出された左右の定位と前後の定位が設定範囲に収まるか否かを判定する。
【０１５４】
上記各実施形態では、取り出し処理（Ｓ１００，Ｓ２００）において、設定範囲との比較を行う各信号のレベル（特に、第１及び第２実施形態では最大レベルＭＬ［ｆ］）として、楽音信号の振幅を用いる構成としたが、楽音信号のパワーを用いる構成としてもよい。例えば、上記第１及び第２実施形態では、ＩＮＬ＿Ｌｖ［ｆ］を求めるために、ＩＮ＿Ｌ［ｆ］信号の複素式における実数部を２乗した値と、ＩＮ＿Ｌ［ｆ］信号の複素式における虚数部を２乗した値とを足し合わせ、その足し合わせた値の平方根を算出するものとしたが、例えば、ＩＮ＿Ｌ［ｆ］信号の複素式における実数部を２乗した値と、ＩＮ＿Ｌ［ｆ］信号の複素式における虚数部を２乗した値とを足し合わせることにより、ＩＮＬ＿Ｌｖ［ｆ］を求めてもよい。
【０１５５】
上記第１及び第２実施形態では、定位ｗ［ｆ］を左右チャンネル信号のレベルの比に基づいて算出する構成としたが、左右チャンネル信号のレベルの差に基づいて算出する構成としてもよい。
【０１５６】
上記第１及び第２実施形態では、定位ｗ［ｆ］を２チャンネルの楽音信号から各周波数帯域毎に一意的に求めたが、各周波数帯域においてそれぞれ求めた定位に基づいて、連続する複数の周波数帯域をグループとして、そのグループ内での定位の確率分布を求め、その定位の確率分布を定位情報（定位ｗ［ｆ］）として用いてもよい。かかる場合、例えば、定位が所定の確率以上である範囲が、設定範囲（方向範囲として設定された範囲）に収まるか否かを判定することにより、所望する楽音信号を抽出することができる。
【０１５７】
上記第１及び第２実施形態では、Ｓ１１１，Ｓ１１４，Ｓ２１１，Ｓ２１４，Ｓ３１１，Ｓ３１４において、各取り出し処理（Ｓ１００，Ｓ２００，Ｓ３００）により抽出された左右の楽音信号（即ち、抽出信号）から求められる定位ｗ［ｆ］と目標とする定位とに基づいて、抽出信号によって形成される定位を調整する構成とした。これに換えて、抽出された左右の楽音信号から、例えばそれらの信号を単に足し合わせる等によってモノラルの楽音信号を合成し、合成したモノラルの楽音信号に対し、目標とする定位に基づいて、抽出信号によって形成される定位を調整する構成としてもよい。
【０１５８】
また、上記第２実施形態では、音像を拡大（又は縮小）するための定位の移動先を目標とする定位として、係数ｌｌ，ｌｒ，ｒｌ，ｒｒ及び係数ｌｌ´，ｌｒ´，ｒｌ´，ｒｒ´を算出したが、音像を拡大（又は縮小）するための定位の移動先と、音像そのものの移動（取り出し領域の移動）による移動先とを組み合わせた移動先を目標とする定位としてもよい。
【０１５９】
上記各実施形態では、各取り出し処理（Ｓ１００，Ｓ２００，Ｓ３００）により抽出信号及び指定以外の信号をそれぞれ取り出した後、抽出信号及び指定以外の信号に対して各信号処理（Ｓ１１０，Ｓ２１０，Ｓ３１０）を施し、その後、得られた各信号（即ち、処理後の抽出信号及び指定以外の信号）を出力チャンネル毎に合成して、合成後の信号（ＯＵＴ＿Ｌ１［ｆ］、ＯＵＴ＿Ｒ１［ｆ］、ＯＵＴ＿Ｌ２［ｆ］、およびＯＵＴ＿Ｒ２［ｆ］）を得、その後、これらの合成後の信号に対してそれぞれ逆ＦＦＴ処理（Ｓ６１，Ｓ７１，Ｓ８１，Ｓ９１）を施すことにより、出力チャンネル毎の時間領域の信号を得る構成とした。
【０１６０】
これに換えて、各取り出し処理（Ｓ１００，Ｓ２００，Ｓ３００）により抽出信号及び指定以外の信号をそれぞれ取り出した後、抽出信号及び指定以外の信号に対して各信号処理（Ｓ１１０などに相当する処理）を施し、その後、得られた各信号（即ち、処理後の抽出信号及び指定以外の信号）に対してそれぞれ逆ＦＦＴ処理（Ｓ６１などに相当する処理）を施すことにより時間領域の信号に変換し、その後、得られた各信号（即ち、時間領域で表された処理後の抽出信号及び指定以外の信号）を出力チャンネル毎に合成することにより、出力チャンネル毎の時間領域の信号を得る構成としてもよい。かかる場合もまた、上述した実施形態と同様に、周波数軸上での信号処理が可能である。
【０１６１】
あるいは、各取り出し処理（Ｓ１００，Ｓ２００，Ｓ３００）により抽出信号及び指定以外の信号をそれぞれ取り出した後、抽出信号及び指定以外の信号に対してそれぞれ逆ＦＦＴ処理（Ｓ６１などに相当する処理）を施すことにより時間領域の信号に変換し、その後、得られた各信号（即ち、時間領域で表された抽出信号及び指定以外の信号）に対して各信号処理（Ｓ１１０などに相当する処理）を施し、その後、得られた各信号（即ち、時間領域で表された処理後の抽出信号及び指定以外の信号）を出力チャンネル毎に合成することにより、出力チャンネル毎の時間領域の信号を得る構成としてもよい。
【０１６２】
上記第１及び第２実施形態では、左右チャンネル信号から抽出信号を抽出するための条件の１つとして、最大レベルＭＬ［ｆ］を用いる構成としたが、最大レベルＭＬ［ｆ］の代わりに、複数のチャンネル信号における各周波数帯域のレベルの和や平均などを抽出条件として用いる構成としてもよい。
【０１６３】
上記各実施形態では、抽出信号を取り出すための取り出し処理を、２つ（第１取り出し処理（Ｓ１００）、第２取り出し処理（Ｓ２００））としたが、３つ以上の取り出し処理を設ける構成としてもよい。即ち、抽出条件（例えば、周波数、定位および最大レベルが一組となった条件）を２つでなく、３つ以上とする構成としてもよい。また、抽出信号を取り出すための取り出し処理を３つ以上とした場合に、その数に応じて信号処理を増やす構成としてもよい。
【０１６４】
上記各実施形態では、指定以外を取り出す処理（Ｓ３００）を設け、左右チャンネル信号やモノラル信号などの入力楽音信号における抽出信号以外の信号を取り出す構成としたが、指定以外を取り出す処理（Ｓ３００）を設けない構成としてもよい。即ち、入力楽音信号における抽出信号以外の信号は取り出さない構成としてもよい。指定以外を取り出す処理（Ｓ３００）を設けない場合には、指定以外信号処理（Ｓ３１０）も設けないようにすればよい。
【０１６５】
上記各実施形態では、左右１組の出力端子を、２組（即ち、ＯＵＴ１＿Ｌ端子とＯＵＴ１＿Ｒ端子との組、及び、ＯＵＴ２＿Ｌ端子とＯＵＴ２＿Ｒ端子との組）としたが、出力端子の組は、１組であってもよいし、３組以上であってもよい。例えば、５．１チャンネルなどであってもよい。出力端子の組が１組である場合には、各信号処理において各チャンネル信号の分配を行わず、図７（ａ）及び（ｂ）のグラフにおける０．２５〜０．７５の範囲を０．０〜１．０に（つまり、２倍に）引き伸ばしたグラフを用いて、Ｓ１１１，Ｓ２１１，Ｓ３１１の計算を行うようにすればよい。
【０１６６】
上記各実施形態の各信号処理（Ｓ１１０，Ｓ２１０，Ｓ３１０）では、抽出した楽音（抽出信号）の定位の変更と、ピッチ変更、レベル変更、及びリバーブ付加から構成される加工処理を行うものとしたが、抽出した楽音に対して行う信号処理は常時同じ処理でなくてもよい。即ち、抽出条件毎に信号処理の実行内容を適宜取捨選択し、抽出条件毎に信号処理の実行内容が異なるように構成してもよい。また、信号処理の内容として、定位の変更と、ピッチ変更、レベル変更、及びリバーブ付加に加えて、その他の公知の信号処理を行ってもよい。
【０１６７】
上記各実施形態では、係数ｌｌ，ｌｒ，ｒｌ，ｒｒ，ｌｌ´，ｌｒ´，ｒｌ´，ｒｒ´が、図７（ａ）及び（ｂ）に示すように、横軸に対して直線的に変化するものとしたが、増加又は減少する部分については、直線的増加又は直線的減少でなく、曲線（例えば、サインカーブ）的な増加又は減少としてもよい。
【０１６８】
上記各実施形態では、窓関数としてハニング窓を用いたが、ハミング窓やブラックマン窓を用いてもよい。
【０１６９】
上記第２及び第３実施形態では、音像拡大関数ＹＬ（ｆ）及び音像拡大関数ＹＲ（ｆ）が、周波数ｆに依存して拡大具合又は縮小具合が異なる関数、即ち、周波数ｆに応じて音像拡大関数ＹＬ（ｆ）及び音像拡大関数ＹＲ（ｆ）の値が変化する関数としたが、周波数ｆの変化に依存することなく音像拡大関数ＹＬ（ｆ）及び音像拡大関数ＹＲ（ｆ）の値が一定である関数であってもよい。つまり、ＢｔｍＬ＝ＴｏｐＬ、かつ、ＢｔｍＲ＝ＴｏｐＲであれば、音像拡大ＹＬ（ｆ）及びＹＲ（ｆ）は、拡大又は縮小具合が周波数ｆに依存しない関数となるので、そのような関数を用いてもよい。
【０１７０】
また、上記第２実施形態では、音像拡大関数をＹＬ（ｆ）及びＹＲ（ｆ）、即ち、周波数ｆの関数としたが、基準定位（上記実施形態では、取り出し領域の定位の中心）からの抽出信号の定位の差分（即ち、抽出信号の、ｐａｎＣからの離れ具合）に応じて、拡大具合（又は縮小具合）が決まる関数、例えば、中心に近い程、拡大具合が大きくなる関数としてもよい。かかる場合には、図８に示す図の横軸（周波数ｆ）を、基準定位であるｐａｎＣからの抽出信号の定位の差分とすることにより、上記第２実施形態で行った計算と同様に計算できる。また、周波数ｆ及び基準定位（ｐａｎＣ）からの抽出信号の定位の差分とを組み合わせ、周波数ｆと基準定位（ｐａｎＣ）からの抽出信号の定位の差分とに応じて拡大具合（又は縮小具合）を決める関数を用いてもよい。
【０１７１】
なお、上記第２及び第３実施形態では、音像拡大関数をＹＬ（ｆ）及びＹＲ（ｆ）、即ち、周波数ｆの関数としたが、処理対象の抽出信号が時間領域の信号である場合には、周波数ｆの関数に換えて、時間ｔに依存する音像拡大関数を用いればよい。
【０１７２】
また、上記第３実施形態では、モノラルの入力楽音信号に対し、一旦、予め規定された連続する周波数範囲毎に交互に分配する準備処理を行った後に、音像拡大縮小処理を行うことについて説明したが、例えば、左右２チャンネルの楽音信号を単に足し合わせる等によってモノラルの楽音信号を合成し、合成したモノラルの楽音信号に対し、第３実施形態と同様の準備処理を行い、その後に音像拡大縮小処理を行ってもよい。
【０１７３】
また、上記第３実施形態では、第１の取り出し領域Ｏ１及び第２の取り出し領域Ｏ２の定位範囲を等しいものとしたが、取り出し領域毎に定位範囲が異なっていてもよい。また、取り出し領域における左方向の境界（ｐａｎＬ）と右方向の境界（ｐａｎＲ）とが中央（ｐａｎＣ）に対して非対称となるよう設定してもよい。
【符号の説明】
【０１７４】
１                    エフェクタ（楽音信号処理装置）
１１Ｌ，１１Ｒ        Ａ／Ｄ（入力手段）
１３Ｌ１，１３Ｌ２    Ｌｃｈ用Ｄ／Ａ
１３Ｒ１，１３Ｒ２    Ｒｃｈ用Ｄ／Ａ
Ｓ１２，Ｓ２２        ＦＦＴ処理（分割手段）
Ｓ１３，Ｓ２３        解析処理部における処理（レベル算出手段）
Ｓ３１                メイン処理部における処理（定位情報算出手段）
Ｓ６０，Ｓ８０        出力処理部（合成手段、変換手段）
Ｓ７０，Ｓ９０        出力処理部（合成手段、変換手段）
Ｓ１００，Ｓ２００    取り出し処理（設定手段）
Ｓ１０１，Ｓ２０１    取り出し処理における処理（判定手段）
Ｓ１０２，Ｓ２０２    取り出し処理における処理（抽出手段）
Ｓ１１０，Ｓ２１０    信号処理（信号処理手段）
Ｓ１１１，Ｓ１１７    信号処理における処理（音像拡大縮小手段）
Ｓ１１４，Ｓ１１８    信号処理における処理（音像拡大縮小手段）
Ｓ２１１，Ｓ２１７    信号処理における処理（音像拡大縮小手段）
Ｓ２１４，Ｓ２１８    信号処理における処理（音像拡大縮小手段）
Ｓ１２０，Ｓ２２０    準備処理（準備手段）
【図１】
2011147031.tif 000003
【図２】
2011147031.tif 000004
【図３】
2011147031.tif 000005
【図４】
2011147031.tif 000006
【図５】
2011147031.tif 000007
【図６】
2011147031.tif 000008
【図７】
2011147031.tif 000009
【図８】
2011147031.tif 000010
【図９】
2011147031.tif 000011
【図１０】
2011147031.tif 000012
【図１１】
2011147031.tif 000013